(57)【要約】【課題】画像品位を向上させる。【解決手段】カラープリンタ１は、光軸方向に沿う光軸を有する複数のレンズが配置されたロッドレンズアレイ３９を有する露光ヘッドユニット１７と、露光ヘッドユニット１７を保持するＬＥＤヘッドホルダ３３と、露光ヘッドユニット１７を光軸方向に関しＬＥＤヘッドホルダ３３から離隔する方向へ付勢するスプリング３４とを設け、露光ヘッドユニット１７は、露光ヘッドユニット１７のＸ方向における両端側に設けられた支持突起３５ｔと、光軸方向に関しＬＥＤヘッドホルダ３３に向かって支持突起３５ｔよりも突出し、ＬＥＤヘッドホルダ３３と係合するフック３５ｆとを有し、ＬＥＤヘッドホルダ３３は、ＬＥＤヘッドホルダ３３の長手方向における両端側に設けられ、支持突起３５ｔが挿入される支持孔３３ｓａと、フック３５ｆを保持するフック支持部３３ｍｆとを有する。【選択図】図２１
2020185715.tif 000002
【特許請求の範囲】
【請求項１】
光軸方向に沿う光軸を有する複数のレンズが配置されたレンズアレイを有する露光ヘッドユニットと、
前記露光ヘッドユニットを保持するホルダと、
前記露光ヘッドユニットを前記光軸方向に関し前記ホルダから離隔する方向へ付勢する付勢部材と
を有し、
前記露光ヘッドユニットは、
前記露光ヘッドユニットの長手方向における両端側に設けられた突部と、
前記光軸方向に関し前記ホルダに向かって前記突部よりも突出し、前記ホルダと係合する係合部と
を有し、
前記ホルダは、
前記ホルダの前記長手方向における両端側に設けられ、前記突部が挿入される孔部と、
前記係合部を保持する保持部と
を有する
ことを特徴とする露光装置。
【請求項２】
前記付勢部材の付勢力は、前記突部と前記孔部との当接箇所にかかる荷重と、前記係合部と前記保持部との当接箇所にかかる荷重とに分散される
ことを特徴とする請求項１に記載の露光装置。
【請求項３】
前記係合部と前記保持部との間の摩擦力は、前記突部と前記孔部との間の摩擦力よりも大きい
ことを特徴とする請求項２に記載の露光装置。
【請求項４】
前記係合部は、該係合部の突出方向における先端部が、前記突部よりも高い位置になるように突出し、
前記露光ヘッドユニットは、
前記光軸方向及び前記長手方向と直交する方向に関し、前記先端部を中心に揺動可能に前記ホルダに保持される
ことを特徴とする請求項３に記載の露光装置。
【請求項５】
前記孔部は、
前記長手方向と前記光軸方向とに直交する方向に沿う第１底面と、
前記第１底面に対し傾斜する第２底面と
を有することを特徴とする請求項１に記載の露光装置。
【請求項６】
前記孔部は、
前記第２底面に当接した前記突部を前記第１底面へ案内する
ことを特徴とする請求項５に記載の露光装置。
【請求項７】
前記係合部は、前記長手方向に関し前記突部よりも前記付勢部材の近くに配される
ことを特徴とする請求項１に記載の露光装置。
【請求項８】
前記付勢部材は、前記長手方向に関し前記係合部と前記突部との間に配される
ことを特徴とする請求項７に記載の露光装置。
【請求項９】
前記孔部と前記保持部とは、
前記露光ヘッドユニットにおける前記長手方向と前記光軸方向とに直交する揺動方向への揺動を制限する
ことを特徴とする請求項１に記載の露光装置。
【請求項１０】
前記露光ヘッドユニットが揺動した際に、
前記孔部は、前記揺動方向における一方向側の壁面に前記突部を当接させ、
前記保持部は、前記揺動方向における他方向側の壁面に前記係合部を当接させる
ことを特徴とする請求項９に記載の露光装置。
【請求項１１】
前記露光ヘッドユニットは、
前記レンズアレイを有する露光ヘッドと、
連結部材によって前記露光ヘッドと連結されるアタッチメントと
を有することを特徴とする請求項１に記載の露光装置。
【請求項１２】
前記レンズアレイから照射された光により表面に潜像を担持する像担持体と、
請求項１乃至請求項１１の何れかに記載された前記露光装置と
を有することを特徴とする画像形成装置。
【発明の詳細な説明】
【技術分野】
【０００１】
本発明は露光装置及び画像形成装置に関し、例えば電子写真式の画像形成装置に適用して好適なものである。
【背景技術】
【０００２】
従来、画像形成装置としては、発光素子であるＬＥＤ（Light Emitting Diode）から出射される露光用の光を発光する露光ヘッドから、感光体ドラムの表面に光を照射して感光体ドラムの表面に静電潜像を形成し、さらにその静電潜像にトナーを付着させてトナー画像を現像することにより、画像の印刷を行うものが広く普及している。
【０００３】
露光ヘッドは、例えば、複数のＬＥＤが直線状に配置されたＬＥＤアレイが実装された基板と、各ＬＥＤから出射される光をそれぞれ集光させる複数のレンズが整列されたレンズアレイと、基板及びレンズアレイを保持するホルダとを有するものがある。そして、基板に搭載されたＬＥＤアレイから放射された光がレンズアレイを通過し収束され、そのレンズアレイの結像位置に配設された感光体ドラムの表面に露光することにより、静電潜像が形成される（例えば、特許文献１参照）。
【０００４】
そのような画像形成装置においては、露光ヘッドの長手方向両端に形成された突起を、画像形成装置のカバーから垂下しているヘッドホルダの長手方向の両端に形成された支持孔に係合させることにより露光ヘッドを保持し、ヘッドホルダと露光ヘッドとの間に配されたスプリングにより、露光ヘッドを感光体ドラムに向けて付勢箇所において付勢すると共に、感光体ドラムに当接箇所において当接させて、感光体ドラムに対し露光ヘッドを位置決めするものがある。
【先行技術文献】
【特許文献】
【０００５】
【特許文献１】特開平８−３１８６６１号公報
【発明の概要】
【発明が解決しようとする課題】
【０００６】
しかしながら、そのような画像形成装置においては、露光ヘッドが所定の位置から位置ずれした場合に所定の位置まで戻ることができず、感光体ドラムと露光ヘッドとの位置ずれが発生し、画像品位が保てない可能性があった。
【０００７】
本発明は以上の点を考慮してなされたもので、画像品位を向上し得る露光装置及び画像形成装置を提案しようとするものである。
【課題を解決するための手段】
【０００８】
かかる課題を解決するため本発明の露光装置においては、光軸方向に沿う光軸を有する複数のレンズが配置されたレンズアレイを有する露光ヘッドユニットと、露光ヘッドユニットを保持するホルダと、露光ヘッドユニットを光軸方向に関しホルダから離隔する方向へ付勢する付勢部材とを設け、露光ヘッドユニットは、露光ヘッドユニットの長手方向における両端側に設けられた突部と、光軸方向に関しホルダに向かって突部よりも突出し、ホルダと係合する係合部とを有し、ホルダは、ホルダの長手方向における両端側に設けられ、突部が挿入される孔部と、係合部を保持する保持部とを有するようにした。
【０００９】
また本発明の画像形成装置においては、レンズアレイから照射された光により表面に潜像を担持する像担持体と、上述した露光装置とを設けるようにした。
【００１０】
本発明は、付勢部材からの荷重を、係合部と保持部との当接箇所と、突部と孔部との当接箇所とに分散することにより、突部と孔部との間の摩擦力を低減でき、孔部の内部において突部を移動させやすくでき、簡易な構成で露光ヘッドの位置ずれを修正し、像担持体に対し露光ヘッドを精度良く位置決めできる。
【発明の効果】
【００１１】
本発明によれば、画像品位を向上し得る露光装置及び画像形成装置を実現できる。
【図面の簡単な説明】
【００１２】
【図１】カバーオープン状態におけるカラープリンタの構成を示す斜視図である。
【図２】カバークローズ状態におけるカラープリンタの構成を示す左側面図である。
【図３】画像形成ユニットの構成を示す左側面図である。
【図４】カバーオープン状態におけるＬＥＤヘッドユニットの構成（１）を示す斜視図である。
【図５】カバークローズ状態におけるＬＥＤヘッドユニット及び感光体ドラムユニットの構成（１）を示す斜視図である。
【図６】カバークローズ状態におけるＬＥＤヘッドユニット及び感光体ドラムユニットの構成（２）を示し、図５におけるＹ−Ｙ矢視断面図である。
【図７】カバークローズ状態におけるＬＥＤヘッドユニット及び感光体ドラムユニットの構成（３）を示す図５における破線範囲の部分拡大図である。
【図８】シャフトの構成を示す斜視図である。
【図９】ＬＥＤヘッドフレームのシャフト係合部の構成を示し、（Ａ）はシャフト係合部の斜視拡大図、（Ｂ）は（Ａ）のＹ−Ｙ矢視断面図、（Ｃ）は（Ａ）のＸ−Ｘ矢視断面図である。
【図１０】アタッチメントのシャフト係合部の構成を示し、（Ａ）はシャフト係合部の斜視拡大図、（Ｂ）は（Ａ）のＸ−Ｘ矢視断面図である。
【図１１】ＬＥＤヘッドユニットの組み立ての様子（１）を示す斜視図である。
【図１２】ＬＥＤヘッドユニットの組み立ての様子（２）を示す斜視図である。
【図１３】ＬＥＤヘッドユニットの組み立ての様子（３）を示す斜視図である。
【図１４】ＬＥＤヘッドユニットの組み立ての様子（４）を示す斜視図である。
【図１５】ＬＥＤヘッドユニットの組み立ての様子（５）を示す斜視図である。
【図１６】ＬＥＤヘッドユニットの組み立ての様子（６）を示す斜視図である。
【図１７】カバーオープン状態におけるＬＥＤヘッドユニットの構成（２）を示し、図４におけるＸ−Ｘ矢視断面図である。
【図１８】スプリング最大圧縮時におけるＬＥＤヘッドユニットの構成を示す断面図である。
【図１９】カバーオープン状態におけるＬＥＤヘッドユニットの構成（３）を示す右側面図である。
【図２０】カバークローズ状態におけるＬＥＤヘッドユニットの構成（２）を示す右側面図である。
【図２１】カバークローズ状態におけるＬＥＤヘッドユニットの構成（３）を示す右側面図である。
【図２２】ＬＥＤヘッドの揺動を示す右側面図である。
【図２３】カバーオープン状態におけるＬＥＤヘッドユニットの構成（４）を示し、図４におけるＸ−Ｘ矢視拡大断面図である。
【発明を実施するための形態】
【００１３】
以下、発明を実施するための形態（以下実施の形態とする）について、図面を用いて説明する。
【００１４】
［１．カラープリンタの構成］
図１及び図２に示すように、カラープリンタ１は、カラー用電子写真式プリンタであり、例えばＡ３サイズやＡ４サイズ等の大きさでなる用紙Ｐに対し、所望のカラー画像を印刷する。カラープリンタ１は、略箱型に形成された装置本体であるプリンタ筐体２の内部に種々の部品が配置されている。因みに以下では、図２における右端部分をカラープリンタ１の正面とし、この正面と対峙して見た場合の上下方向、左右方向及び前後方向をそれぞれ定義した上で説明する。カラープリンタ１は、制御部３により全体を統括制御する。この制御部３は、図示しない通信処理部を介して、パーソナルコンピュータのような上位装置（図示せず）と無線又は有線により接続されている。制御部３は、上位装置から印刷対象のカラー画像を表す画像データが与えられると共に該カラー画像の印刷が指示されると、用紙Ｐの表面に印刷画像を形成する印刷処理を実行する。
【００１５】
またカラープリンタ１は、プリンタ筐体２の上側にプリンタカバー９が設けられている。プリンタカバー９の下面側には、ＬＥＤヘッドユニット１４Ｃ、１４Ｍ、１４Ｙ及び１４Ｋ（以下では、これらをまとめてＬＥＤヘッドユニット１４とも呼ぶ）のＬＥＤヘッドホルダ３３Ｃ、３３Ｍ、３３Ｙ及び３３Ｋ（以下では、これらをまとめてＬＥＤヘッドホルダ３３とも呼ぶ）が、回転支点を中心として揺動自在に支持されるよう垂下している。ＬＥＤヘッドホルダ３３Ｃ、３３Ｍ、３３Ｙ及び３３Ｋは、互いにほぼ同様に構成されている。
【００１６】
プリンタカバー９は、後端に設けられた軸部材９Ａ及び９Ｂを介してプリンタ筐体２に対して連結されている。このためプリンタカバー９は、軸部材９Ａ及び９Ｂの回転軸を支点として、プリンタ筐体２の上方を覆うカバークローズ状態（図２）と、プリンタ筐体２の上方を開放するカバーオープン状態（図１）との間を回動可能となっている。このときプリンタカバー９は、軸部材９Ａ及び９Ｂの回転軸を中心にして円弧状の軌跡ｒａに沿って回動する。またプリンタカバー９の回動に伴って、プリンタカバー９に設けられた各ＬＥＤヘッドユニット１４も、軸部材９Ａ及び９Ｂの回転軸を中心にした円弧状の軌跡ｒｂに沿って回動する。
【００１７】
カラープリンタ１は、印刷動作が行われる場合には、軸部材９Ａ及び９Ｂを支点としてプリンタカバー９の前端が押し下げられプリンタ筐体２の内部が外部から閉鎖されることにより、内部を保護するカバークローズ状態（図２）となる。一方カラープリンタ１は、画像形成ユニット１５の交換や内部に詰まったジャム用紙がユーザにより取り除かれる等の保守作業が行われる場合には、軸部材９Ａ及び９Ｂを支点としてプリンタカバー９の前端が持ち上げられプリンタ筐体２の内部が外部に開放されることにより、内部の各部に対する作業を容易に行わせ得るカバーオープン状態となる。
【００１８】
図２に示すようにプリンタ筐体２内の最下部には、用紙Ｐを収容する用紙収容カセット４と、用紙収容カセット４に集積された状態で収容されている用紙Ｐを１枚ずつ分離して給紙する給紙部５と、該用紙Ｐの色を測色する用紙色測色部６とが設けられている。給紙部５は、用紙収容カセット４の前端上側に位置しており、用紙収容カセット４の前端上側に設けられ中心軸を左右方向に向けたホッピングローラ７や、該ホッピングローラ７の上方に設けられたレジストローラ８のような複数のローラに加え、用紙Ｐを案内するガイド等により構成されている。
【００１９】
この給紙部５は、制御部３の制御によりホッピングローラ７及びレジストローラ８等を回転させ、用紙収容カセット４に収容されている用紙Ｐを１枚ずつに分離して取り込むと共に、取り込んだ用紙Ｐを前上方へ進行させた後、プリンタ筐体２内の前端近傍における上下ほぼ中央となる位置において、後方へ折り返すように進行させる。また用紙色測色部６は、用紙Ｐの色を測色し、その結果を制御部３へ供給する。
【００２０】
プリンタ筐体２内における用紙収容カセット４の上方には、該プリンタ筐体２内を前後に大きく横切るようにして転写ベルトユニット１０が設けられている。転写ベルトユニット１０は、中心軸を左右方向に向けた細長い円筒状でなるローラ１１が前後に１個ずつ配置されると共に、前後のローラ１１を周回するように転写ベルト１２が張架されている。転写ベルト１２は、左右方向の幅が広く、且つ無端状のベルトとして形成されており、ローラ１１の回転に伴って走行する。転写ベルトユニット１０は、制御部３の制御に基づいてローラ１１を回転させることにより転写ベルト１２を走行させ、給紙部５から受け渡された用紙Ｐを該転写ベルト１２の上面に載せて後方向へ搬送する。
【００２１】
一方、転写ベルトユニット１０の上側、すなわちプリンタ筐体２における中央よりも上寄りには、４個の画像形成ユニット１５Ｃ、１５Ｍ、１５Ｙ及び１５Ｋ（以下では、これらをまとめて図３に示す画像形成ユニット１５とも呼ぶ）が後側から前側へ向かって順に配置されている。すなわち各色の画像形成ユニット１５は、いわゆるタンデム方式で配置されている。この画像形成ユニット１５Ｃ、１５Ｍ、１５Ｙ及び１５Ｋは、シアン（Ｃ）、マゼンタ（Ｍ）、イエロー（Ｙ）及びブラック（Ｋ）の各色にそれぞれ対応している。また画像形成ユニット１５Ｃ、１５Ｍ、１５Ｙ及び１５Ｋは、互いに同様に構成されており、対応するトナーの色のみがそれぞれ相違する。画像形成ユニット１５は、用紙Ｐの左右幅に対応するべく、左右方向に比較的長い略箱状に形成されている。また画像形成ユニット１５は、感光体ドラム２７が転写ローラ１３に対し当接する又は離隔するように、上下移動が可能となっている。
【００２２】
またプリンタ筐体２内には、各画像形成ユニット１５Ｃ、１５Ｍ、１５Ｙ及び１５Ｋにおけるそれぞれの感光体ドラム２７の上方において対向するように露光装置としてのＬＥＤヘッドユニット１４Ｃ、１４Ｍ、１４Ｙ及び１４Ｋ（以下では、これらをまとめてＬＥＤヘッドユニット１４とも呼ぶ）が設けられている。ＬＥＤヘッドユニット１４Ｃ、１４Ｍ、１４Ｙ及び１４Ｋは、互いにほぼ同様に構成されている。図３に示すようにＬＥＤヘッドユニット１４は、ＬＥＤヘッドホルダ３３、スプリング３４及び露光ヘッドユニット１７により構成されている。露光ヘッドユニット１７は、アタッチメント３５及びＬＥＤヘッド１６により構成されている。各ＬＥＤヘッドユニット１４は、各色の画像データに従って、感光体ドラム２７を露光し、静電潜像を形成する装置である。各画像形成ユニット１５は、プリンタ筐体２に装着された際、このＬＥＤヘッドユニット１４のＬＥＤヘッド１６と極めて近接するようになっており、該ＬＥＤヘッド１６からの光により露光処理が行われる。またＬＥＤヘッド１６は、左右方向に細長い直方体状に構成されると共に、その内部に複数のＬＥＤが左右方向に沿って並ぶように配置されており、制御部３から供給される画像データに応じた発光パターンで各ＬＥＤを発光させる。
【００２３】
また各画像形成ユニット１５Ｃ、１５Ｍ、１５Ｙ及び１５Ｋは、それぞれ上方にトナーカートリッジ１８Ｃ、１８Ｍ、１８Ｙ及び１８Ｋ（以下では、これらをまとめてトナーカートリッジ１８とも呼ぶ）が接続されている。トナーカートリッジ１８は、左右方向に長い中空の容器であり、粉末状でなる各色のトナーがそれぞれ収容されると共に、所定の撹拌機構が組み込まれている。転写ベルトユニット１０には、前後のローラ１１の間における各画像形成ユニット１５の真下となる４箇所に、それぞれ転写ローラ１３Ｃ、１３Ｍ、１３Ｙ及び１３Ｋ（以下では、これらをまとめて転写ローラ１３とも呼ぶ）が設けられている。すなわち各画像形成ユニット１５は、各転写ローラ１３との間に転写ベルト１２の上側部分を挟んでいる。転写ローラ１３は、帯電し得るように構成されている。
【００２４】
制御部３は、トナーカートリッジ１８からトナーを画像形成ユニット１５へ供給させる。これと共に制御部３は、上位装置（図示せず）から供給された画像データに応じた発光パターンを形成するようにＬＥＤヘッド１６を発光させる。これに応じて各画像形成ユニット１５は、トナーカートリッジ１８から供給されるトナーを用い、ＬＥＤヘッド１６の発光パターンに応じたトナー画像を形成し、このトナー画像を用紙Ｐにそれぞれ転写する（詳しくは後述する）。これにより、転写ベルトユニット１０によって搬送されている用紙Ｐ上には、画像データに応じた４色のトナー画像が順次転写されていく。
【００２５】
転写ベルトユニット１０の後方、すなわちプリンタ筐体２の後端近傍における上下の中央近傍には、定着ユニット２０が設けられている。定着ユニット２０は、加熱ローラ２１及び加圧ローラ２２により構成されている。加熱ローラ２１は、中心軸を左右方向に向けた円筒状に形成されており、内部にヒータが設けられている。加圧ローラ２２は、加熱ローラ２１と同様の円筒状に形成されており、上側の表面を加熱ローラ２１における下側の表面に所定の押圧力で押し付けている。この定着ユニット２０は、制御部３の制御に基づき、加熱ローラ２１を加熱すると共に該加熱ローラ２１及び加圧ローラ２２をそれぞれ所定方向へ回転させる。これにより定着ユニット２０は、転写ベルトユニット１０から受け渡された用紙Ｐ、すなわち４色のトナー画像が重ねられた用紙Ｐに対して熱及び圧力を加えてトナーを定着させ、さらに後上方へ受け渡す。
【００２６】
定着ユニット２０の後上方には、排紙部２４が配置されている。排紙部２４は、中心軸を左右方向に向けた複数のローラ（図示せず）や用紙を案内するガイド等の組み合わせにより構成されている。この排紙部２４は、制御部３の制御に従って各ローラを適宜回転させることにより、定着ユニット２０から受け渡される用紙Ｐを後上方へ搬送してから前方へ向けて折り返し、プリンタ筐体２の上面に形成された排出トレイ２Ｔへ排出する。
【００２７】
このようにカラープリンタ１は、印刷処理を実行する際、ＬＥＤヘッド１６を発光させることにより、各色の画像形成ユニット１５によってトナー画像をそれぞれ形成し、これを用紙Ｐに順次転写する。
【００２８】
［２．画像形成ユニットの構成］
次に、画像形成ユニット１５の構成について説明する。全ての画像形成ユニット１５Ｃ、１５Ｍ、１５Ｙ及び１５Ｋは互いにほぼ同様に構成されているため、その内の１色の画像形成ユニット１５について説明する。図３に示すように画像形成ユニット１５は、その外周における大部分をフレーム２５により閉塞すると共に、その内部に比較的大きな空間を形成している。
【００２９】
画像形成ユニット１５内の中央下寄りには、図５及び図６に示す感光体ドラムユニット２６が設けられている。感光体ドラムユニット２６は、感光体ドラム２７、回転支持部材（図示せず）及びドラムフレーム３２により構成されている。感光体ドラム２７は、中心軸を左右方向に向けた円筒状に形成されており、回転軸方向（左右方向）の両端部が回転支持部材（図示せず）により回転可能に支持されている。回転支持部材（図示せず）は、感光体ドラム２７に対し左右方向の両外側に配されており、感光体ドラム２７を回転可能に支持すると共に、ドラムフレーム３２により支持されている。ドラムフレーム３２は、樹脂により形成されており、感光体ドラム２７に対し左右方向の両外側に配され、回転支持部材を支持する。因みに感光体ドラム２７は、図示しないモータから駆動力が伝達されることにより、矢印Ｒ１方向（図３）へ回転する。図１９に示すようにドラムフレーム３２における上端面、すなわちドラムフレーム３２におけるカバークローズ状態においてＬＥＤヘッドフレーム３７の位置決め孔３７ａ（後述する）と対向する箇所からは、位置決め突起３２ｔが上方へ向かって突出している。
【００３０】
フレーム２５（図３）における感光体ドラム２７の下面となる部分は、比較的広い範囲に亘って開放されている。このため画像形成ユニット１５は、プリンタ筐体２（図１及び図２）に装着された際に、転写ベルト１２又は該転写ベルト１２上に載せられた用紙Ｐに感光体ドラム２７の下面を接触させる。またフレーム２５における感光体ドラム２７の真上となる部分には、左右方向に細長い露光孔が穿設されている。
【００３１】
感光体ドラム２７の後上方には、該感光体ドラム２７よりも径が小さい円筒状でなる帯電ローラ２８が設けられている。帯電ローラ２８は、例えば半導電性の弾性材により構成されると共に、その周側面を感光体ドラム２７の周側面２７Ｓに当接させており、該周側面２７Ｓの当接箇所を一様に帯電させる。
【００３２】
感光体ドラム２７の前上方には、該感光体ドラム２７よりも径が小さい円筒状でなる現像ローラ２９が設けられている。現像ローラ２９は、例えばウレタンゴム材にカーボンのような導電性物質が添加されて電気抵抗が適宜調節された半導電性ウレタンゴムにより構成されており、帯電し得る。この現像ローラ２９は、後側においてその周側面を感光体ドラム２７の周側面２７Ｓに当接させると共に、前側において該現像ローラ２９よりも僅かに径が小さい円筒状でなる供給ローラ３０にその周側面を当接させている。供給ローラ３０は、例えば半導電性発泡シリコンスポンジにより構成されている。
【００３３】
現像ローラ２９の後上方には、薄板状の現像ブレード３１が設けられている。現像ブレード３１は、ステンレスやリン青銅等の金属、又はシリコンゴムのようなゴム材等により構成されている。この現像ブレード３１は、後上端がフレーム２５内に固定されており、その前下端と現像ローラ２９の周側面との間に僅かな隙間を形成している。
【００３４】
さらに、感光体ドラム２７の上方における左右両側には、スペーサ２７ｓ（図５、図６及び図１９）が設けられている。スペーサ２７ｓは、その大きさや感光体ドラム２７に対する取付位置等が最適化されており、その上面にＬＥＤヘッド１６のカム３７ｐ（図５、図６及び図１９）の下面を当接させることにより、感光体ドラム２７の周側面と該ＬＥＤヘッド１６との間隔を所望の長さに合わせる（詳細は後述する）。全ての画像形成ユニット１５Ｃ、１５Ｍ、１５Ｙ及び１５Ｋにおける各感光体ドラム２７とＬＥＤヘッドユニット１４Ｃ、１４Ｍ、１４Ｙ及び１４Ｋとの位置関係は、何れも同様に構成されている。
【００３５】
［３．カラープリンタの動作］
かかる構成において画像形成ユニット１５は、用紙Ｐに画像を印刷する際、制御部３の制御に基づき、感光体ドラム２７を矢印Ｒ１方向へ回転させると共に、帯電ローラ２８、現像ローラ２９及び供給ローラ３０を矢印Ｒ２方向へ回転させ、さらに帯電ローラ２８及び現像ローラ２９を帯電させる。
【００３６】
感光体ドラム２７は、まず周側面２７Ｓの後上側部分が帯電ローラ２８により一様に帯電され、矢印Ｒ１方向への回転によりこの帯電した箇所を上端近傍に到達させてＬＥＤヘッド１６と対向させる。このとき感光体ドラム２７の周側面２７Ｓは、ＬＥＤヘッド１６から画像データに応じた発光パターンの光が照射されることにより露光され、該画像データに応じた静電潜像が形成される。
【００３７】
一方、矢印Ｒ２方向へ回転する現像ローラ２９は、トナーカートリッジ１８から供給されるトナーが供給ローラ３０によって周側面に付着し、次に現像ブレード３１により余分なトナーが削ぎ落とされるため、周側面に均一な薄膜状にトナーが付着される。
【００３８】
感光体ドラム２７は、さらに矢印Ｒ１方向へ回転することにより、現像ローラ２９と当接する前端近傍において、該現像ローラ２９の周側面に薄膜状に形成されているトナーを、静電潜像に応じた箇所のみ周側面２７Ｓに付着させる。これにより感光体ドラム２７の周側面２７Ｓには、画像データに応じたトナー画像が形成される。因みにこのとき周側面２７Ｓに形成されるトナー画像は、最終的に印刷すべき画像のうち、この画像形成ユニット１５が担当する１色（すなわちシアン、マゼンタ、イエロー又はブラックの何れか）の成分のみを表した画像となっている。
【００３９】
その後感光体ドラム２７は、さらに矢印Ｒ１方向へ回転することにより、トナー画像を下端近傍へ到達させる。このとき制御部３は、転写ベルトユニット１０（図１）により用紙Ｐを画像形成ユニット１５の下側に到達させると共に、転写ローラ１３をトナーと逆の特性に帯電させている。このため画像形成ユニット１５は、感光体ドラム２７のうちトナー画像が形成された部分と帯電された転写ローラ１３との間に用紙Ｐを挟持することになり、このトナー画像を用紙Ｐに転写する。因みにトナー画像を用紙Ｐに転写した後に感光体ドラム２７の周側面２７Ｓにトナーが残っていた場合、図示しないクリーニング装置によりこのトナーが除去される。
【００４０】
かくして画像形成ユニット１５は、ＬＥＤヘッド１６を感光体ドラム２７の近傍に対向させ、該ＬＥＤヘッド１６の露光作用によりトナー画像を該周側面２７Ｓ上に形成する。
【００４１】
［４．ＬＥＤヘッドユニットの構成］
上述したように、また図３に示すようにＬＥＤヘッドユニット１４は、ＬＥＤヘッドホルダ３３、ＬＥＤヘッド１６、スプリング３４及びアタッチメント３５により構成されている。以下では、図１４及び図１５に示すように、アタッチメント３５がシャフト４４によりＬＥＤヘッド１６と連結された状態をアタッチメントヘッド取付状態とも呼び、図４、図６及び図１７に示すように、ＬＥＤヘッド１６に連結されたアタッチメント３５が、ＬＥＤヘッドホルダ３３との間にスプリング３４を挟んでＬＥＤヘッドホルダ３３に取り付けられた状態をアタッチメントホルダ取付状態とも呼ぶ。
【００４２】
［５．ＬＥＤヘッドの構成］
図６及び図７にＬＥＤヘッド１６の模式的な横断面図を示すように、ＬＥＤヘッド１６は、全体として左右方向に細長い直方体状に形成されており、ＬＥＤヘッドフレーム３７に基板３８及びロッドレンズアレイ３９等の各種部品が取り付けられた構成となっている。以下では、図７における下方向を照射方向とも呼び、上方向を反照射方向とも呼ぶ。また以下では左右方向を配列方向（長手方向、主走査方向）とも呼び、この左右方向と交差する前後方向を副走査方向とも呼び、上下方向を光軸方向とも呼ぶ。さらにＬＥＤアレイ４０（後述する）の配列方向である左右方向（長手方向）をＸ方向、ＬＥＤヘッド１６が感光体ドラム２７に対し位置決めされた状態におけるロッドレンズアレイ３９の光軸方向である上下方向をＺ方向、Ｘ方向及びＺ方向に直交する方向である前後方向（揺動方向）をＹ方向とする。
【００４３】
ＬＥＤヘッドフレーム３７は、例えば液晶ポリマーの金型成型で作製されており、全体として、左右方向に沿って形成された中空の四角柱から反照射方向側の側面を取り除いたような形状となっており、その断面が英大文字の「Ｕ」のような形状となっている。またＬＥＤヘッドフレーム３７における照射方向側部分の中央付近には、左右方向に沿った細長い長孔でなり上下方向に貫通する取付孔３７Ｈが形成されている。また図７及び図９に示すようにＬＥＤヘッドフレーム３７は、前後左右方向に沿う平面であるアタッチメント対向面３７Ｓが上端部に形成されている。
【００４４】
取付孔３７Ｈには、ロッドレンズアレイ３９が挿入されて取り付けられている。これにより、ロッドレンズアレイ３９はＬＥＤヘッドフレーム３７に支持されている。ロッドレンズアレイ３９は、全体として左右方向に細長い直方体状に形成されており、左右方向に沿って光軸を上下方向に添わせた多数の微小なマイクロレンズを並べるように保持している。このマイクロレンズは、光軸が上下方向となるように配置され、後述するＬＥＤアレイ４０から放射される光を収束させるような光学特性を有している。ロッドレンズアレイ３９は、該ロッドレンズアレイ３９において光が入射される端面である上面と、基板３８に搭載されたＬＥＤアレイ４０の表面である下面（すなわち露光面３９ｅ）との入射距離が、ロッドレンズアレイ３９の特性上最適な値になるような位置となるように、ＬＥＤヘッドフレーム３７に固着されている。ＬＥＤアレイ４０から出射された光は、ロッドレンズアレイ３９により収束され、帯電した感光体ドラム２７上に露光することにより、静電潜像を形成する。
【００４５】
またＬＥＤヘッドフレーム３７には、ロッドレンズアレイ３９の上方に、長手方向を左右方向に沿わせて基板３８が取り付けられている。基板３８は、いわゆるガラスエポキシ基板でなり、左右方向に細長く上下方向に薄い板状に形成され、所定の配線パターンが形成された配線層が上下方向に複数積層された構成となっている。基板３８の下面である照射方向側には、前後方向のほぼ中央において、ロッドレンズアレイ３９と対向するようにＬＥＤアレイ４０が基板３８の長手方向に沿って実装されている。このＬＥＤアレイ４０は、下方へ向けて光を発光するＬＥＤ素子が左右方向である配列方向に沿って所定の微小間隔毎に並んでいる。また基板３８の上面である反照射方向側における右端部近傍にはコネクタ３８Ｃｎが実装されている。コネクタ３８Ｃｎには、基板３８の各種電子部品とカラープリンタ１の制御部３（図２）等とを導通させるケーブル３８Ｃｂが接続される。
【００４６】
ＬＥＤヘッドフレーム３７と基板３８との間隙には、封止材としてのシリコン樹脂４１がこの隙間を埋めるように充填されている。これによりＬＥＤヘッド１６は、ＬＥＤヘッドフレーム３７と基板３８との間隙を封止し、ＬＥＤヘッドフレーム３７と基板３８の下面とにより囲まれた空間をほぼ密閉して、この空間への異物の侵入を防止している。またシリコン樹脂４１は、隙間の封止以外に、基板３８、ＬＥＤヘッドフレーム３７及び後述する絶縁シート４２を接着させる接着剤の役割も果たしている。
【００４７】
基板３８は、絶縁シート４２で反照射方向側の全面が覆われることにより、外部への露出が防止されている。絶縁シート４２は、例えばマイラー（登録商標）シート等、ポリエステル製の絶縁性を有する材料により構成されており、上下方向に薄く、前後方向の幅が基板３８よりも狭く、左右方向に長いフィルム状に形成されている。
【００４８】
ＬＥＤヘッドフレーム３７とロッドレンズアレイ３９との間隙には、封止材としてのシリコン樹脂４１がこの隙間を埋めるように充填されている。これによりＬＥＤヘッド１６は、ＬＥＤヘッドフレーム３７とロッドレンズアレイ３９との間隙を封止し、ＬＥＤヘッドフレーム３７と基板３８の下面とにより囲まれた空間をほぼ密閉して、この空間への光及び異物の侵入を防止している。
【００４９】
図５、図６及び図１９に示すようにＬＥＤヘッドフレーム３７の下方における左右両側において感光体ドラム２７のスペーサ２７ｓと対向する箇所には、カム３７ｐが設けられている。カム３７ｐは、ＬＥＤヘッドフレーム３７と感光体ドラム２７との距離を調整する部材である。
【００５０】
また図５、図６及び図１９に示すようにＬＥＤヘッドフレーム３７の左右両端部における下端面、すなわちＬＥＤヘッドフレーム３７におけるカバークローズ状態においてドラムフレーム３２の位置決め突起３２ｔと対向する箇所には、該位置決め突起３２ｔが嵌合する位置決め孔３７ａが穿設されている。この位置決め孔３７ａは、カム３７ｐよりも左右外側に配されている。カム３７ｐは、ＬＥＤヘッドフレーム３７がスプリング３４で付勢される箇所の直下に配設されている。
【００５１】
［５−１．ＬＥＤヘッドフレームにおけるシャフト係合部の構成］
図９に示すように、ＬＥＤヘッド１６のＬＥＤヘッドフレーム３７におけるＸ方向両端部のアタッチメント対向面３７Ｓ側には、内部に空間を有するシャフト係合部３７ｅが形成されている。なお図９においては＋Ｘ方向側のシャフト係合部３７ｅは図示せず−Ｘ方向側のシャフト係合部３７ｅのみ図示する。シャフト係合部３７ｅは、ＬＥＤヘッドフレーム３７のＸ方向の中心を軸として対して互いに対称な形状となっている。シャフト係合部３７ｅは、主に、シャフト係合部底部３７ｅｂ、引掛部収納Ｘ方向側壁３７ｅｗｘ、引掛部収納Ｙ方向側壁３７ｅｗｙ及び引掛部係合突起３７ｅｐが形成されている。以下では、引掛部収納Ｘ方向側壁３７ｅｗｘ及び引掛部収納Ｙ方向側壁３７ｅｗｙをまとめて引掛部収納側壁３７ｗとも呼ぶ。
【００５２】
シャフト係合部底部３７ｅｂは、ＸＹ方向に沿う平面形状である＋Ｚ方向側面を有し、シャフト係合部３７ｅの−Ｚ方向側端部に形成されている。引掛部収納Ｘ方向側壁３７ｅｗｘは、シャフト係合部底部３７ｅｂをＸ方向から囲むように引掛部係合突起３７ｅｐよりも−Ｚ方向側から−Ｚ方向に向かって延びる壁面を有する壁部である。引掛部収納Ｙ方向側壁３７ｅｗｙは、シャフト係合部底部３７ｅｂをＹ方向から囲むようにアタッチメント対向面３７Ｓから−Ｚ方向に向かって延びる壁面を有する壁部である。引掛部係合突起３７ｅｐは、アタッチメント対向面３７Ｓと引掛部収納Ｘ方向側壁３７ｅｗｘとの間に形成されており、ＹＺ方向に沿う平面を有し、引掛部収納Ｘ方向側壁３７ｅｗｘからシャフト係合部３７ｅの中心軸へ向けて突出する突起である。
【００５３】
シャフト係合部３７ｅは、このようなシャフト係合部底部３７ｅｂ、引掛部係合突起３７ｅｐ、引掛部収納Ｘ方向側壁３７ｅｗｘ及び引掛部収納Ｙ方向側壁３７ｅｗｙによって囲まれた空間により、シャフト４４（図８）のヘッド側引掛部４４Ｄを収納する引掛部収納空間３７ｅｓが形成されている。またシャフト係合部３７ｅは、引掛部係合突起３７ｅｐ及び引掛部収納Ｙ方向側壁３７ｅｗｙによって囲まれた空間により、シャフト４４（図８）がＬＥＤヘッドフレーム３７に取り付けられる際にシャフト４４（図８）のヘッド側引掛部４４Ｄをアタッチメント対向面３７Ｓ側から引掛部収納空間３７ｅｓへ通過させるヘッド側引掛部通過口３７ｅａが形成されている。
【００５４】
ＬＥＤヘッドフレーム３７について、対向する引掛部収納Ｙ方向側壁３７ｅｗｙのＹ方向の内寸をシャフト係合部Ｙ方向内寸Ｌ６とし、シャフト係合部３７ｅのシャフト係合部底部３７ｅｂから引掛部係合突起３７ｅｐの−Ｚ方向側端部までのＺ方向の距離を引掛部収納高さＬ７とし、引掛部係合突起３７ｅｐのＺ方向の厚さをシャフト係合部係合突起厚さＬ８とし、対向する引掛部係合突起３７ｅｐのＸ方向の内寸をシャフト係合部係合突起内寸Ｌ９とし、対向する引掛部収納Ｘ方向側壁３７ｅｗｘのＸ方向の内寸をシャフト係合部Ｘ方向内寸Ｌ１０とする。
【００５５】
これらの各寸法は、（条件１：Ｌ１＜Ｌ６）、（条件２：Ｌ３＜Ｌ１０）及び（条件３：Ｌ１＜Ｌ９）の関係を満たすように設定されている。
【００５６】
［６．シャフトの構成］
図８に示すようにシャフト４４は、Ｚ方向に延びる棒状部材であり、棒状部４４Ｓ、ヘッド側引掛部４４Ｄ及びアタッチメント側引掛部４４Ｕが形成されている。またシャフト４４は、中心軸であるシャフト軸４４ｘを軸とした対称構造となっている。棒状部４４Ｓは、略円筒形状であり、Ｚ方向、すなわちシャフト軸４４ｘに沿って延びる棒状部材である。棒状部４４Ｓの＋Ｚ方向側端部における、後述するヘッド側引掛部突起４４Ｄｐがヘッド側引掛部中心部４４Ｄｃから突出する方向に対し直交するＹ方向側又はＸ方向側の両側面には、平面取りされた面であるＩカット面４４Ｓｉが形成されている。このため棒状部４４Ｓは、＋Ｚ方向側端部がＩカット（二方取り）されたような形状となっている。
【００５７】
ヘッド側引掛部４４Ｄは、棒状部４４Ｓの−Ｚ方向側端部に構成されており、ヘッド側引掛部中心部４４Ｄｃ及びヘッド側引掛部突起４４Ｄｐが形成されている。ヘッド側引掛部突起４４Ｄｐは、ヘッド側引掛部中心部４４ＤｃのＸ方向側又はＹ方向側の側面において、互いにヘッド側引掛部中心部４４Ｄｃを挟んで対向するように配されており、ヘッド側引掛部中心部４４Ｄｃと同等の厚さであり、ヘッド側引掛部中心部４４Ｄｃの径方向の外側に向かって突出している。
【００５８】
アタッチメント側引掛部４４Ｕは、棒状部４４Ｓの＋Ｚ方向側端部に構成されており、棒状部４４Ｓの最外径よりも径方向の内側に凹む輪留め溝４４Ｓｇが形成されている。
【００５９】
このようにシャフト４４は、長手方向のうち−Ｚ方向側端部にＬＥＤヘッド１６のＬＥＤヘッドフレーム３７におけるシャフト係合部３７ｅ（図９）と係合するヘッド側引掛部４４Ｄが形成されていると共に、長手方向のうち＋Ｚ方向側端部にアタッチメント３５のシャフト係合部３５ａ（図１３）と係合するアタッチメント側引掛部４４Ｕが形成されている。
【００６０】
図８に示すように、シャフト４４について、ヘッド側引掛部４４Ｄにおける一方のヘッド側引掛部突起４４Ｄｐの端部から他方のヘッド側引掛部突起４４Ｄｐの端部までの幅を、ヘッド側引掛部幅Ｌ１とし、ヘッド側引掛部４４Ｄのヘッド側引掛部中心部４４Ｄｃの直径をヘッド側引掛部直径Ｌ３とする。
【００６１】
［７．アタッチメントの構成］
図１０に示すようにアタッチメント３５は、ポリカーボネートとＡＢＳとの混合樹脂の金型成型により作製され、スプリング３４（図５）の付勢力を受けても変形しない剛性となっており、ＬＥＤヘッド１６のＬＥＤヘッドフレーム３７（図９）の剛性よりも高い剛性となっている。またアタッチメント３５は、Ｘ方向に細長くＺ方向に薄い板状に形成された底板３５ｂを中心に形成されており、全体としてＸ方向に細長くＺ方向に薄い直方体状に形成されている。このアタッチメント３５は、ＬＥＤヘッド１６（図１４）のＺ方向の高さの半分程度のＺ方向の高さを有している。
【００６２】
底板３５ｂは、ＸＹ方向に沿いＬＥＤヘッドフレーム３７（図９）のアタッチメント対向面３７Ｓと平行に対向する平面であるヘッド対向面３５Ｓ１が−Ｚ方向面側に形成されている。また底板３５ｂは、ＸＹ方向に沿いＬＥＤヘッドホルダ３３の−Ｚ方向側端部と対向する平面であるホルダ対向面３５Ｓ２が＋Ｚ方向面側に形成されている。底板３５ｂのホルダ対向面３５Ｓ２におけるＸ方向両端部及びＹ方向両端部からは、該ホルダ対向面３５Ｓ２に直交する壁部３５ｗが＋Ｚ方向に向かって立設している。
【００６３】
このアタッチメント３５は、シャフト４４（図８）によりＬＥＤヘッド１６におけるＬＥＤヘッドフレーム３７（図９）の＋Ｚ方向面側においてＬＥＤヘッドフレーム３７と連結されている。
【００６４】
［７−１．アタッチメントにおけるシャフト係合部の構成］
底板３５ｂにおけるＸ方向両端部であり、アタッチメントホルダ取付状態（図４、図１５及び図１７）においてＬＥＤヘッドフレーム３７のシャフト係合部３７ｅ（図１１）とＸ方向の位置が一致する箇所には、シャフト係合部３５ａが形成されている。なお図１０においては＋Ｘ方向側のシャフト係合部３５ａは図示せず−Ｘ方向側のシャフト係合部３５ａのみ図示する。シャフト係合部３５ａは、アタッチメント３５のＸ方向の中心を軸として対して互いに対称な形状となっている。シャフト係合部３５ａは、主に、貫通溝３５ａｇ及び輪留め座面３５ａｓが形成されている。
【００６５】
貫通溝３５ａｇは、ホルダ対向面３５Ｓ２からヘッド対向面３５Ｓ１までＺ方向に沿って貫通し、シャフト４４の棒状部４４Ｓ（図８）のＸＹ平面上の外形とほぼ同一形状の内周面が形成されている。この貫通溝３５ａｇは、内周面によって囲まれた空間により、シャフト４４（図８）がアタッチメント３５に取り付けられる際にシャフト４４の輪留め溝４４Ｓｇをヘッド対向面３５Ｓ１側から貫通溝３５ａｇの＋Ｚ方向側端部よりも＋Ｚ方向側まで通過させる内部空間が形成されている。
【００６６】
輪留め座面３５ａｓは、貫通溝３５ａｇの＋Ｚ方向側端部に形成されており、貫通溝３５ａｇの中心軸である貫通溝軸３５ａｇｘを挟んでＹ方向に対向するように配置されている。この輪留め座面３５ａｓは、貫通溝３５ａｇの＋Ｚ方向側の端面から＋Ｚ方向へ突出するように形成されており、アタッチメントヘッド取付状態（図１５）においてシャフト４４（図８）のＩカット面４４Ｓｉに当接することにより、シャフト４４（図８）がアタッチメント３５に対しシャフト軸４４ｘを中心として回転してしまうことを防止する。
【００６７】
輪留め座面３５ａｓの周囲には、輪留め座面３５ａｓを囲うように、スプリング３４が嵌まり込む円形のスプリング座３５ｓｓが形成されている。なお図１０においては＋Ｘ方向側のスプリング座３５ｓｓは図示せず−Ｘ方向側のスプリング座３５ｓｓのみ図示する。アタッチメントホルダ取付状態（図４、図１５及び図１７）においてアタッチメント３５は、スプリング３４の−Ｚ方向側端部がスプリング座３５ｓｓに当接した状態となる。このようにスプリング座３５ｓｓは、Ｘ方向に関し支持突起３５ｔとフック３５ｆとの間における、フック３５ｆ寄りに配置されている。このためスプリング３４は、アタッチメントホルダ取付状態（図４、図１５及び図１７）において、Ｘ方向に関し支持突起３５ｔとフック３５ｆとの間における、フック３５ｆ寄りに配置されることとなる。
【００６８】
アタッチメントヘッド取付状態（図１４及び図１５）においてアタッチメント３５は、輪留め座面３５ａｓよりも＋Ｚ方向へ突出したシャフト４４の輪留め溝４４Ｓｇに輪留め６３が嵌合することにより、シャフト４４がアタッチメント３５から離れる−Ｚ方向へ移動すること、すなわちシャフト４４が係合しているＬＥＤヘッド１６がアタッチメント３５から離れる−Ｚ方向へ移動することを規制する。
【００６９】
またアタッチメント３５におけるＸ方向の両端面からは、図４、図１０、図１３、図１４、図１５、図１６、図１７及び図１９に示すように、略直方体形状の支持突起３５ｔがＸ方向の外側に向かって突出している。支持突起３５ｔは、全体として略直方体形状に形成されており、ＸＹ方向に沿う平面である支持突起下端面３５ｔＳが下端面に形成されている。
【００７０】
さらにアタッチメント３５における輪留め座面３５ａｓに隣接するＸ方向の内側からは、図４、図１０、図１３、図１４、図１５、図１６及び図１７に示すように、フック３５ｆが＋Ｚ方向、すなわちＬＥＤヘッドホルダ３３へ向かって突出している。このフック３５ｆは、Ｘ方向に関し支持突起３５ｔよりもスプリング３４の近傍に配置されている。またフック３５ｆは、Ｙ方向に関し支持突起３５ｔとほぼ同じ位置において、支持突起３５ｔよりも＋Ｚ方向側まで突出している。フック３５ｆは、全体として英大文字の「Ｌ」のような形状であり、突出部３５ｆｐ及び係止部３５ｆｃが形成されている。突出部３５ｆｐは、底板３５ｂから＋Ｚ方向へ向かって突出する棒状部材である。係止部３５ｆｃは、突出部３５ｆｐの＋Ｚ方向側端部において、突出部３５ｆｐからアタッチメント３５におけるＸ方向の内側へ屈曲し、−Ｚ方向側において、ＸＹ方向に沿う平面である係止部面３５ｆｃＳが形成されている。
【００７１】
係る構成において、ＬＥＤヘッドホルダ３３の下側支持面３３ｍｆＳ１（図１７）（後述する）にフック３５ｆの係止部３５ｆｃが引っ掛かると共に、ＬＥＤヘッドホルダ３３のホルダ支持部３３ｓの支持孔３３ｓａ（図２３）（後述する）に支持突起３５ｔが引っ掛かることにより、該アタッチメント３５と、該アタッチメント３５と固定されたＬＥＤヘッド１６とが、ＬＥＤヘッドホルダ３３に支持される。
【００７２】
［７−２．当接リブの構成］
図１０及び図１３に示すように、アタッチメント３５のヘッド対向面３５Ｓ１においてシャフト係合部３５ａに対するＸ方向の両側からは、互いに貫通溝軸３５ａｇｘに対しＸ方向に同等の間隔を空けて、当接リブ３５ｒ１及び３５ｒ２が−Ｚ方向へ向かって突出している。このように当接リブ３５ｒ１及び３５ｒ２は、貫通溝軸３５ａｇｘの近傍において、シャフト係合部３５ａを挟むように配置されている。またアタッチメントヘッド取付状態（図１７）においては、貫通溝軸３５ａｇｘとシャフト軸４４ｘとは同一線上に位置している。
【００７３】
当接リブ３５ｒ１及び３５ｒ２は、互いに同一形状であり、Ｙ方向に細長くＺ方向に薄い直方体形状に形成されており、ＸＹ方向に沿いＬＥＤヘッドフレーム３７のアタッチメント対向面３７Ｓと平行に対向しアタッチメントヘッド取付状態（図１７）において当接する平面であるリブホルダ当接面３５ｒ１Ｓ及び３５ｒ２Ｓが−Ｚ方向面側に形成されている。また当接リブ３５ｒ１及び３５ｒ２は、底板３５ｂのＹ方向の一端から他端までに亘ってＹ方向に沿って連続的に形成されている。以下では当接リブ３５ｒ１及び３５ｒ２をまとめて突部としての当接リブ３５ｒとも呼び、リブホルダ当接面３５ｒ１Ｓ及び３５ｒ２Ｓをまとめてリブホルダ当接面３５ｒＳとも呼ぶ。
【００７４】
［８．スプリングの構成］
図１６に示すようにスプリング３４は、圧縮コイルばねであり、下側端部である大径端部３４Ｌの方が、上側端部である小径端部３４Ｓよりも数巻分内径が大きくなっている。スプリング３４は、カバークローズ状態（図２）において常用長となるよう設計されている。スプリング３４におけるカバークローズ状態における状態をＺ方向の基準位置であるＺ＝０とした場合、図１７に示すように、フック３５ｆの係止部３５ｆｃの係止部面３５ｆｃＳからＬＥＤヘッドホルダ３３の下側支持面３３ｍｆＳ１までの距離を係止部面支持面間距離Ｚ１とし、フック３５ｆの係止部３５ｆｃの係止部面３５ｆｃＳからフック取付溝３３ｍｇ（後述する）までの距離を係止部面取付溝間距離Ｚ２とし、スプリング３４の常用長さをスプリング常用長Ｌｓｐ１とし、図１８に示すように最も縮んだときのスプリング３４の長さをスプリング密着長Ｌｓｐ２とし、図１６に示すように大径端部３４Ｌの内径を大径端部内径Ｄ１１とし、大径端部３４Ｌの外径を大径端部外径Ｄ１２とし、小径端部３４Ｓの内径を小径端部内径Ｄ２１とし、小径端部３４Ｓの外径を小径端部外径Ｄ２２とする。
【００７５】
また図１４に示すように輪留め６３の外径を輪留め外径Ｄ３とし、図１７に示すようにＬＥＤヘッドホルダ３３のポスト３３ｍｐの最大外周径をポスト最大外周径Ｄ４とし、アタッチメントヘッド取付状態においてホルダ対向面３５Ｓ２からシャフト４４の上端までの距離をホルダ対向面シャフト上端間距離Ｚ４とし、スプリング３４の大径端部３４Ｌの座巻高さを座巻高さＺ５とする。
【００７６】
これらの各寸法は、（条件１１：Ｌｓｐ１＋Ｚ１＞Ｌｓｐ２＋Ｚ４）、（条件１２：Ｌｓｐ１−Ｌｓｐ２＜Ｚ２）、（条件１３：Ｄ４＜Ｄ２１）、（条件１４：Ｄ３＜Ｄ４＜Ｄ１１）及び（条件１５：Ｚ４＜Ｚ５）の関係を満たすように設定されている。
【００７７】
［９．ＬＥＤヘッドとアタッチメントとの係合］
係る構成において図１４に示すように、ＬＥＤヘッド１６とアタッチメント３５とは、ＬＥＤヘッド１６のＬＥＤヘッドフレーム３７におけるシャフト係合部３７ｅ（図１１）と、アタッチメント３５のシャフト係合部３５ａとにシャフト４４が係合することにより、互いに連結されアタッチメントヘッド取付状態となる。ここで、ＬＥＤヘッド１６とアタッチメント３５とは、互いにＺ方向に近接するような力はシャフト４４により加えられておらず、あくまでＬＥＤヘッド１６がアタッチメント３５から外れない程度に連結されている。
【００７８】
アタッチメントホルダ取付状態（図４、図１５及び図１７）において、圧縮コイルばねであるスプリング３４（図１７）は、−Ｚ方向側端部がアタッチメント３５のスプリング座３５ｓｓに当接すると共に、＋Ｚ方向側端部がＬＥＤヘッドホルダ３３のポスト３３ｍｐに当接することにより、アタッチメント３５とＬＥＤヘッドホルダ３３との間に通常状態よりも圧縮された状態で配置されている。
【００７９】
このためアタッチメントホルダ取付状態（図４、図１５及び図１７）においてアタッチメント３５は、ＬＥＤヘッドホルダ３３とアタッチメント３５との間に配設されたスプリング３４により、−Ｚ方向、すなわち感光体ドラム２７へ向かう方向に付勢される。これによりアタッチメント３５と連結しているＬＥＤヘッド１６も、スプリング３４の付勢力により、−Ｚ方向、すなわち感光体ドラム２７へ向かう方向に付勢される。ＬＥＤヘッド１６は、カム３７ｐが感光体ドラム２７のスペーサ２７ｓ（図５、図６及び図１９）と当接することにより、感光体ドラム２７の周側面２７Ｓに対し離接する方向であるＺ方向の位置が位置決めされる。これによりＬＥＤヘッド１６と感光体ドラム２７との間の相対位置が一定に保たれる。
【００８０】
［１０．ＬＥＤヘッドホルダの構成］
図１５に示すようにＬＥＤヘッドホルダ３３は、ポリカーボネートとＡＢＳとの混合樹脂の金型成型により作製されており、ホルダ本体部３３ｍ、ホルダ垂下部３３ｈ及びホルダ支持部３３ｓが形成されている。
【００８１】
［１０−１．ホルダ本体部の構成］
ホルダ本体部３３ｍは、Ｘ方向に細長くＹ方向に薄い板状に構成されると共に、Ｘ方向両端部において、スプリング３４が嵌め込まれるポスト３３ｍｐが形成されている。またホルダ本体部３３ｍにおける、支持孔３３ｓａの第１底面３３ｓａＳ１（図２２）よりも上方であり、且つポスト３３ｍｐよりもＸ方向の内側には、フック支持部３３ｍｆが形成されている。
【００８２】
［１０−１−１．フック支持部の構成］
図４及び図２２に示すようにフック支持部３３ｍｆは、Ｘ方向から見た際に、下側支持面３３ｍｆＳ１、前側支持面３３ｍｆＳ２及び後側支持面３３ｍｆＳ３が形成されている。下側支持面３３ｍｆＳ１は、フック支持部３３ｍｆの下側部分に配され、ＸＹ方向に沿い、フック３５ｆの係止部面３５ｆｃＳのＹ方向の長さよりも長くＹ方向に延設し＋Ｚ方向を向く平面である。前側支持面３３ｍｆＳ２は、フック支持部３３ｍｆの前側部分に配され、ＸＺ方向に沿い、Ｚ方向に延設し＋Ｙ方向を向く平面であり、下側支持面３３ｍｆＳ１の−Ｙ方向側端部が接続されている。後側支持面３３ｍｆＳ３は、フック支持部３３ｍｆの後側部分に配され、ＸＺ方向に沿い、Ｚ方向に延設し−Ｙ方向を向き前側支持面３３ｍｆＳ２と対向する平面であり、下側支持面３３ｍｆＳ１の＋Ｙ方向側端部が接続されている。前側支持面３３ｍｆＳ２と後側支持面３３ｍｆＳ３とのＹ方向の間隔は、ＬＥＤヘッドホルダ３３の支持孔３３ｓａの前内壁面３３ｓａＳ３と後内壁面３３ｓａＳ４とのＹ方向の間隔とほぼ同等となっている。
【００８３】
またホルダ本体部３３ｍ（図１５）において、下側支持面３３ｍｆＳ１（図４）よりも−Ｚ方向側における＋Ｙ方向側の板状部には、ＬＥＤヘッドユニット１４の組み立て工程においてアタッチメント３５のフック３５ｆを通過させるフック取付溝３３ｍｇが切り欠かれるように形成されている。
【００８４】
［１０−２．ホルダ垂下部の構成］
ホルダ垂下部３３ｈは、ホルダ本体部３３ｍのＸ方向両端部から＋Ｚ方向へ延びて＋Ｙ方向へ湾曲する部材であり、プリンタカバー９（図１）における支持孔部に回動可能に支持される垂下部軸３３ｈａが形成されている。
【００８５】
［１０−３．ホルダ支持部の構成］
ホルダ支持部３３ｓは、ホルダ本体部３３ｍの＋Ｘ方向両端部から−Ｚ方向へ突出する部材であり、アタッチメント３５の支持突起３５ｔよりもＺ方向に長い直方体形状である支持孔３３ｓａがＹ方向に沿って穿設されている。
【００８６】
［１０−３−１．支持孔の構成］
図２２（Ａ）に示すように支持孔３３ｓａは、Ｘ方向から見た際に、第１底面３３ｓａＳ１、第２底面３３ｓａＳ２、前内壁面３３ｓａＳ３及び後内壁面３３ｓａＳ４が形成されている。後内壁面３３ｓａＳ４は、支持孔３３ｓａの後側部分に配され、ＸＺ方向に沿いＺ方向に延設し−Ｙ方向を向く平面である。前内壁面３３ｓａＳ３は、支持孔３３ｓａの前側部分に配され、ＸＺ方向に沿いＺ方向に延設し＋Ｙ方向を向き、後内壁面３３ｓａＳ４と対向する平面である。第１底面３３ｓａＳ１は、支持孔３３ｓａの下側部分における＋Ｙ方向側の３分の２程度の範囲に配され、ＸＹ方向に沿いＹ方向に延設し＋Ｚ方向を向く平面であり、＋Ｙ方向側端部が後内壁面３３ｓａＳ４の−Ｚ方向側端部と接続されている。第２底面３３ｓａＳ２は、支持孔３３ｓａの下側部分における−Ｙ方向側の３分の１程度の範囲に配され、第１底面３３ｓａＳ１に対し−Ｙ方向へ向かうに連れて＋Ｚ方向へ向かって傾斜し＋Ｙ＋Ｚ方向を向く平面であり、＋Ｙ方向側端部が第１底面３３ｓａＳ１の−Ｙ方向側端部と、−Ｙ方向側端部が後内壁面３３ｓａＳ４の−Ｚ方向側端部とそれぞれ接続されている。
【００８７】
ホルダ支持部３３ｓは、アタッチメントヘッド取付状態（図１７）において、アタッチメント３５の支持突起３５ｔが支持孔３３ｓａに挿入されることにより、アタッチメント３５と、該アタッチメント３５と固定されたＬＥＤヘッド１６とを、スプリング３４の付勢方向へ移動可能に支持する。
【００８８】
またホルダ支持部３３ｓ（図１５）において、第１底面３３ｓａＳ１（図２３）よりも＋Ｚ方向側における＋Ｙ方向側の板状部には、ＬＥＤヘッドユニット１４の組み立て工程においてアタッチメント３５の支持突起３５ｔを通過させる支持突起取付溝３３ｓｇが切り欠かれるように形成されている。
【００８９】
このように、ＬＥＤヘッドホルダ３３のＸ方向の両端には支持孔３３ｓａが、該支持孔３３ｓａよりもＸ方向の内側には下側支持面３３ｍｆＳ１がそれぞれ形成されていると共に、アタッチメント３５のＸ方向の両端には支持突起３５ｔが、該支持突起３５ｔよりもＸ方向の内側にはフック３５ｆが形成されている。
【００９０】
係る構成においてＬＥＤヘッドホルダ３３（図１５）は、ホルダ垂下部３３ｈの垂下部軸３３ｈａがプリンタカバー９（図１及び図２）の支持孔部に可動可能に支持されることによりプリンタカバー９に対し揺動自在に支持されて垂下すると共に、ホルダ支持部３３ｓの支持孔３３ｓａにアタッチメント３５の支持突起３５ｔを、フック支持部３３ｍｆの下側支持面３３ｍｆＳ１にアタッチメント３５におけるフック３５ｆの係止部３５ｆｃをそれぞれ引っ掛けることにより、アタッチメント３５及びＬＥＤヘッド１６を懸架する。
【００９１】
［１１．位置決め部材の構成］
図５及び図６に示すように、ＬＥＤヘッド１６におけるＬＥＤヘッドフレーム３７と感光体ドラムユニット２６における感光体ドラム２７との間における左右両端部よりも左右方向のやや内側には、カム３７ｐとスペーサ２７ｓとからなり感光体ドラム２７の周側面と該ＬＥＤヘッド１６との間隔を所望の長さに合わせる位置決め部材６２が設けられている。このカム３７ｐ及びスペーサ２７ｓ、すなわち位置決め部材６２は、左右方向及び前後方向に関し、貫通溝３５ａｇ（図１７）上に、すなわち貫通溝軸３５ａｇｘの真下に設けられている。
【００９２】
スペーサ２７ｓは、例えばポリアセタール樹脂等のエンジニアリングプラスチックで作製されており、全体として前後方向に細長い直方体状に形成されている。このスペーサ２７ｓは、感光体ドラム２７の周側面と同等の曲率を有する湾曲面であり感光体ドラム２７の周側面２７Ｓに接するドラム当接面が下面（−Ｚ方向側面）に形成されていると共に、前後左右方向に沿う平面でありスペーサ２７ｓと当接するスペーサ当接面が上面（＋Ｚ方向側面）に形成されている。スペーサ２７ｓは感光体ドラム２７の左右方向の中心を軸として互いに対称な形状となっている。
【００９３】
カム３７ｐは、例えばポリカーボネートにより作製されており、板状に形成されている。このカム３７ｐは、ＬＥＤヘッド１６の左右方向の中心を軸として互いに対称な形状となっている。
【００９４】
ＬＥＤヘッド１６は、ＬＥＤヘッドフレーム３７のカム３７ｐを感光体ドラム２７のスペーサ２７ｓに押し付けるように当接させることにより、感光体ドラム２７に対するＬＥＤヘッド１６の上下方向の位置を位置決めする、すなわちロッドレンズアレイ３９（図６）から感光体ドラム２７までの光軸方向の距離を規定する。このようにＬＥＤヘッド１６と感光体ドラム２７とは、スペーサ２７ｓ及びカム３７ｐとが当接する箇所において互いに当接することにより、感光体ドラム２７に対するＬＥＤヘッド１６の位置が設定されている。
【００９５】
［１２．ＬＥＤヘッドユニットの組み立て方法］
次に、ＬＥＤヘッドユニット１４の組み立て工程について説明する。まず図１１に示すように、Ｚ方向に沿う状態のシャフト４４においてヘッド側引掛部中心部４４ＤｃからＹ方向へヘッド側引掛部突起４４Ｄｐが突出する状態のヘッド側引掛部４４ＤがＬＥＤヘッドフレーム３７のシャフト係合部３７ｅに＋Ｚ方向側から挿入される。このとき、条件１及び条件２により、ＬＥＤヘッドフレーム３７のシャフト係合部３７ｅ（図９）内部にシャフト４４が挿入される。
【００９６】
次に図１２に示すように、シャフト４４が矢印ｒｘの向きに９０［°］回転される。このとき、条件３により、シャフト４４のヘッド側引掛部４４Ｄは、ＬＥＤヘッドフレーム３７内部で９０［°］回転することができる。これによりシャフト４４は、ヘッド側引掛部４４ＤがＬＥＤヘッドフレーム３７の引掛部係合突起３７ｅｐ（図９）と係合することにより、アタッチメント３５と係合する。
【００９７】
続いて図１３に示すように、アタッチメント３５の当接リブ３５ｒがＬＥＤヘッドフレーム３７のアタッチメント対向面３７Ｓに当接するまで、シャフト４４におけるアタッチメント側引掛部４４Ｕがアタッチメント３５のシャフト係合部３５ａに−Ｚ方向側から挿入される。このとき、図１４に示すように、シャフト４４の輪留め溝４４Ｓｇが、アタッチメント３５の輪留め座面３５ａｓの＋Ｚ方向側端面よりも＋Ｚ方向側へ抜き出る。
【００９８】
続いて図１４に示すように、輪留め６３がシャフト４４の輪留め溝４４Ｓｇに＋Ｙ方向側から嵌め込まれる。シャフト４４は、輪留め６３がアタッチメント３５に引っ掛かることにより、アタッチメント３５と係合し、アタッチメント側引掛部４４Ｕがアタッチメント３５から抜け落ちることが防止される。これにより、ＬＥＤヘッド１６がアタッチメント３５に保持され、アタッチメントヘッド取付状態となる。シャフト４４は、Ｉカット面４４Ｓｉ（図８）がアタッチメント３５の貫通溝３５ａｇと当接することによってシャフト軸４４ｘを中心とする回転が規制されるため、ＬＥＤヘッド１６がアタッチメント３５から自然に落下することが防止される。
【００９９】
次に図１５に示すように、アタッチメント３５の支持突起３５ｔがＬＥＤヘッドホルダ３３の支持突起取付溝３３ｓｇに、アタッチメント３５におけるフック３５ｆの係止部３５ｆｃがＬＥＤヘッドホルダ３３のフック取付溝３３ｍｇに、それぞれＺ方向の位置が合わされた状態で、−Ｙ方向側から水平方向に沿って挿入される。挿入後、アタッチメント３５は−Ｚ方向へ降下し、アタッチメント３５の支持突起３５ｔがＬＥＤヘッドホルダ３３の支持孔３３ｓａに、係止部３５ｆｃがＬＥＤヘッドホルダ３３の下側支持面３３ｍｆＳ１に、それぞれ引っ掛かることにより、アタッチメント３５がＬＥＤヘッドホルダ３３に懸架される。これにより、アタッチメント３５と連結しているＬＥＤヘッド１６が、ＬＥＤヘッドホルダ３３に保持される。
【０１００】
次に図１６に示すように、アタッチメント３５とＬＥＤヘッドホルダ３３との間にスプリング３４が圧縮された状態で挿入される。このとき、スプリング３４の小径端部３４ＳがＬＥＤヘッドホルダ３３のポスト３３ｍｐに挿入されるが、条件１３により、スプリング３４はＬＥＤヘッドホルダ３３に当接するまで挿入されることができる。またこのとき、スプリング３４の大径端部３４Ｌはアタッチメント３５のスプリング座３５ｓｓ（図１７）に当接するが、条件１１及び条件１４により、輪留め６３は輪留め座面３５ａｓの外形よりも外側へはみ出さないため、スプリング３４の大径端部３４Ｌはシャフト４４を乗り越えて、スプリング座３５ｓｓに合うことができる。なお、条件１５により、スプリング３４の小径端部３４Ｓがシャフト４４と接触しなくなっている。これによりスプリング３４の位置が固定され、スプリング３４の圧縮状態が解除されることで、アタッチメント３５、すなわちＬＥＤヘッド１６がＬＥＤヘッドホルダ３３から離隔する方向である−Ｚ方向に向かって付勢される。また、スプリング３４が挿入された状態においては、支持突起３５ｔ及び係止部３５ｆｃが支持突起取付溝３３ｓｇ及びフック取付溝３３ｍｇの位置に向かうようにＬＥＤヘッド１６が移動した場合、条件１２により、支持突起３５ｔ及び係止部３５ｆｃが支持突起取付溝３３ｓｇ及びフック取付溝３３ｍｇの位置に移動する前にスプリング３４の密着長に到達する。このため、アタッチメント３５の支持突起３５ｔと係止部３５ｆｃとが、ＬＥＤヘッドホルダ３３のそれぞれ支持突起取付溝３３ｓｇとフック取付溝３３ｍｇとから脱落しなくなっている。
【０１０１】
このように組み立てられたＬＥＤヘッドユニット１４は、ＬＥＤヘッドホルダ３３の垂下部軸３３ｈａがプリンタカバー９（図１及び図２）の支持孔部に可動可能に取り付けられることにより、プリンタカバー９に対し揺動自在に支持されて垂下する。
【０１０２】
次に、図１９のカバーオープン状態からカバークローズ状態へ移行すると、ＬＥＤヘッドユニット１４は下方へ移動し、図２０に示すように、ＬＥＤヘッドフレーム３７の位置決め孔３７ａにドラムフレーム３２の位置決め突起３２ｔが嵌まり込む。これによりＬＥＤヘッド１６は、感光体ドラム２７に対して前後左右方向の位置が位置決めされる。またこのときＬＥＤヘッドユニット１４は、感光体ドラム２７の表面に搭載されているスペーサ２７ｓにＬＥＤヘッドフレーム３７のカム３７ｐを当接させる。これによりＬＥＤヘッド１６は、感光体ドラム２７に対して上下方向の位置が位置決めされる。このときＬＥＤヘッド１６には、アタッチメント３５の当接リブ３５ｒにおいて感光体ドラム２７へ向かう付勢力が加えられているため、ロッドレンズアレイ３９から感光体ドラム２７までの光軸方向の距離が一定に保たれる。
【０１０３】
［１３．ＬＥＤヘッドの位置決め方法について］
次に、ＬＥＤヘッド１６の位置決め方法について、図１９及び図２０を用いて説明する。まず、ＬＥＤヘッド１６のＸＹ方向の位置は、感光体ドラムユニット２６の長手方向（Ｘ方向）両端部に形成された位置決め突起３２ｔと、ＬＥＤヘッドフレーム３７の長手方向（Ｘ方向）両端部に形成された位置決め孔３７ａとが嵌合され位置決めされる。次に、ＬＥＤヘッド１６のＺ方向の位置は、感光体ドラム２７の表面に搭載されたスペーサ２７ｓと、ＬＥＤヘッドフレーム３７に搭載された、ＬＥＤヘッド１６と感光体ドラム２７との距離を調整する部材であるカム３７ｐとが当接することにより位置決めされる。軸部材９Ａ及び９Ｂを支点としてプリンタカバー９が開閉されると、ＬＥＤヘッド１６が移動する。なお、ＬＥＤヘッド１６を感光体ドラムユニット２６にセットしたときにおける、Ｚ方向に対する、ロッドレンズアレイ３９の光軸方向の傾き角を傾き角Θ１とすると、領域ＡＲ１内が位置決め突起３２ｔの有効範囲になる。
【０１０４】
カバーオープン状態から軸部材９Ａ及び９Ｂを支点としてプリンタカバー９が閉鎖する方向へ回動すると、ＬＥＤヘッド１６の位置決め孔３７ａは、軌跡ＬＡ１上を移動して、感光体ドラムユニット２６の位置決め突起３２ｔに嵌入される直前の位置に至る。位置決め突起３２ｔと位置決め孔３７ａとは、それぞれの中心が一致するような位置に形成されているものの、寸法のばらつきや累積誤差等があるため、位置決め突起３２ｔと位置決め孔３７ａとの位置は定性化することはできない。そのためＬＥＤヘッド１６は、支持突起３５ｔが支持孔３３ｓａの範囲内で摺動可能としている。位置決め突起３２ｔの先端には傾斜面３２ｔｉが設けてあり、位置決め孔３７ａが位置決め突起３２ｔの領域ＡＲ１内であれば、ＬＥＤヘッド１６は傾斜面３２ｔｉに沿うことで位置決め突起３２ｔと嵌合でき、ＬＥＤヘッド１６を感光体ドラムユニット２６に対して位置決めを行うことができる。
【０１０５】
このようにカラープリンタ１においては、位置決め孔３７ａと位置決め突起３２ｔとの嵌合位置の調整を行うために、支持突起３５ｔが支持孔３３ｓａ内で移動可能な範囲内で、ＬＥＤヘッド１６がＹ方向に移動可能になっているため、ＬＥＤヘッド１６のＹ方向への移動を許容している。このため例えば作業者が感光体ドラムユニット２６を交換する際にＬＥＤヘッド１６に触れてしまった場合、例えば、用紙ジャム解除作業でプリンタカバー９を解放した衝撃で、支持突起３５ｔが支持孔３３ｓａ内におけるＹ方向の一方側に寄ってしまう可能性がある。
【０１０６】
そのような場合において、仮に、フック３５ｆ及びフック支持部３３ｍｆが形成されておらず、スプリング３４の付勢力が支持突起３５ｔから支持孔３３ｓａに加わっている場合、カバーオープン状態では、支持突起３５ｔはスプリング３４の付勢力によって支持孔３３ｓａに強く押し付けられるため、支持孔３３ｓａにおけるＹ方向の中央に復帰することが困難となり、Ｙ方向の一方側に寄ったままになってしまう。このため、カラープリンタ１は、位置決め突起３２ｔを位置決め孔３７ａに嵌合することができなくなってしまい、ＬＥＤヘッド１６が発生させた光の焦点を感光体ドラム２７の表面に正確に合わせることができなくなってしまう。
【０１０７】
また、仮に、フック３５ｆ及びフック支持部３３ｍｆが形成されていない場合、ＬＥＤヘッド１６はＸ方向を軸とした回転方向に対し規制が無く、ＬＥＤヘッド１６が大きく傾いたときに倒れてしまい、自力で復帰することができない。ＬＥＤヘッド１６が倒れたままカバークローズ状態になると、ロッドレンズアレイ３９の露光面３９ｅが回転軌跡Ｌａ１上から飛び出してしまい、トナーカートリッジ１８等に接触し、ＬＥＤヘッド１６の破損や脱落が生じてしまう可能性がある。
【０１０８】
［１４．力の関係について］
次に、ＬＥＤヘッド１６における力の関係について、図２１を用いて説明する。
【０１０９】
［１４−１．付勢力及び反力について］
まず、ＬＥＤヘッド１６における付勢力及び反力について、図２１を用いて説明する。カバーオープン状態においてＬＥＤヘッド１６は、スプリング３４によって−Ｚ方向に押し出され、支持突起３５ｔが支持孔３３ｓａの第１底面３３ｓａＳ１に、係止部３５ｆｃが下側支持面３３ｍｆＳ１にそれぞれ当接した状態になる。ここで、ＬＥＤヘッド１６をＹ方向に摺動させた場合について説明する。
【０１１０】
ＬＥＤヘッド１６の＋Ｘ方向側端部において、スプリング３４からアタッチメント３５に下向きに加わる付勢力を下向き付勢力Ｆとし、ＬＥＤヘッドホルダ３３の支持孔３３ｓａからアタッチメント３５の支持突起３５ｔに上向きに生じる反力を上向き反力Ｒ１とし、ＬＥＤヘッドホルダ３３のフック支持部３３ｍｆからアタッチメント３５におけるフック３５ｆの係止部３５ｆｃに上向きに生じる反力を上向き反力Ｒ２とする。なお、ＬＥＤヘッド１６の−Ｘ方向側端部の付勢力及び反力は、距離が離れていることから影響が微小のため省略する。力の釣り合いの関係より、式（１）が成り立つ。
【０１１１】
Ｆ＝Ｒ１＋Ｒ２……（１）
【０１１２】
また、Ｘ方向に関し、上向き反力Ｒ１から下向き付勢力Ｆまでの距離を反力付勢力間距離Ｘ１、上向き反力Ｒ１から上向き反力Ｒ２までの距離を反力間距離Ｘ２とすると、支持突起３５ｔを中心としたモーメントの釣り合いの関係から、式（２）が成り立つ。
【０１１３】
Ｒ２＝Ｆ・Ｘ１／Ｘ２……（２）
【０１１４】
このとき、反力付勢力間距離Ｘ１と反力間距離Ｘ２との関係がＸ２／２＜Ｘ１の場合、式（１）及び式（２）より、式（３）が成り立つ。
【０１１５】
Ｒ１＜Ｆ＜Ｒ２……（３）
【０１１６】
［１４−２．摩擦力について］
次に、ＬＥＤヘッド１６をＹ方向に摺動させた際に生じる摩擦力について、図２１及び図２２を用いて説明する。支持突起３５ｔと支持孔３３ｓａとの間に生じる摩擦力を支持突起支持孔間摩擦力Ｒｆ１（図示せず）とし、係止部３５ｆｃとフック支持部３３ｍｆとの間に生じる摩擦力を係止部フック支持部間摩擦力Ｒｆ２（図示せず）とする。その場合、摩擦力は、アタッチメント３５と支持孔３３ｓａ及びフック支持部３３ｍｆとの間に生じる垂直抗力及び摩擦係数によって算出されるが、支持突起支持孔間摩擦力Ｒｆ１と係止部フック支持部間摩擦力Ｒｆ２との摩擦係数は同じため、垂直抗力によって摩擦力が決定する。式（３）より、式（４）が成り立つ。
【０１１７】
ｆ１＜Ｒｆ２……（４）
【０１１８】
以上より、Ｘ２／２＜Ｘ１の条件で、係止部フック支持部間摩擦力Ｒｆ２は支持突起支持孔間摩擦力Ｒｆ１よりも大きくなる。このため、ＬＥＤヘッド１６をＹ方向に摺動させた場合、摩擦力が大きい係止部３５ｆｃはほぼ静止したまま、摩擦力の小さい支持突起３５ｔが先行して動き出すため、係止部３５ｆｃの係止部面３５ｆｃＳとフック支持部３３ｍｆの下側支持面３３ｍｆＳ１との当接箇所が軸となり、支持突起３５ｔと共にＬＥＤヘッド１６が図２２に示す矢印方向ｒｙに搖動する。本実施の形態においてスプリング３４はフック３５ｆに隣接するように配置されており、式（１）、式（２）及び式（３）の関係から、支持突起支持孔間摩擦力Ｒｆ１及び係止部フック支持部間摩擦力Ｒｆ２は式（４）の関係となり、係止部３５ｆｃを軸にＬＥＤヘッド１６が搖動する構造が誘発される構成となっている。
【０１１９】
［１５．ＬＥＤヘッドが傾いた際の動作について］
次に、カバーオープン状態においてＬＥＤヘッド１６が傾いた際の動作について、図２２及び図２３を用いて説明する。ＬＥＤヘッド１６はスプリング３４によって付勢されているため、係止部３５ｆｃはフック支持部３３ｍｆの下側支持面３３ｍｆＳ１に当接し、支持突起３５ｔは支持孔３３ｓａの第１底面３３ｓａＳ１に当接する。
【０１２０】
図２２（Ｂ）の状態から図２２（Ａ）の状態へＬＥＤヘッド１６が揺動した場合、支持突起３５ｔは、スプリング３４によって支持孔３３ｓａの第２底面３３ｓａＳ２に押し付けられ、該第２底面３３ｓａＳ２の傾斜に合わせてＬＥＤヘッド１６が傾斜させられる。式（４）より、摩擦力が小さい支持突起３５ｔは、第２底面３３ｓａＳ２によって案内され、第１底面３３ｓａＳ１に移動される。第１底面３３ｓａＳ１は、支持突起３５ｔが押し付けられたときに、ＬＥＤヘッド１６の位置決め孔３７ａが領域ＡＲ１内に収まるような位置に形成される。
【０１２１】
これによりカラープリンタ１は、ＬＥＤヘッド１６がＹ方向に摺動した場合でも、係止部３５ｆｃを軸にしてＬＥＤヘッド１６を搖動させ、スプリング３４により第１底面３３ｓａＳ１に向かって付勢された支持突起３５ｔを第２底面３３ｓａＳ２に当接させて第１底面３３ｓａＳ１へ案内し、位置決め孔３７ａを領域ＡＲ１内に収めることができる。このようにカラープリンタ１は、ＬＥＤヘッド１６がＹ方向に摺動した場合でも、第２底面３３ｓａＳ２に支持突起３５ｔを当接させつつ係止部３５ｆｃを軸にして支持突起３５ｔを第１底面３３ｓａＳ１へ案内し、支持突起３５ｔを第１底面３３ｓａＳ１へ戻すことができる。
【０１２２】
また、係止部３５ｆｃを軸にＬＥＤヘッド１６がスイングするように搖動することを誘発する構成について図２３を用いて説明する。支持突起下端面３５ｔＳと第１底面３３ｓａＳ１とのＺ方向の間隔を支持突起第１底面間隔Ｌ３１、係止部面３５ｆｃＳと下側支持面３３ｍｆＳ１とのＺ方向の間隔を係止部面下側支持面間隔Ｌ３２とした場合、式（５）の関係になることが望ましい。
【０１２３】
Ｌ３１＞Ｌ３２……（５）
【０１２４】
プリンタカバー９がカバークローズ状態（図５）からカバーオープン状態（図４）へ移行する際、式（５）より、係止部３５ｆｃがＬＥＤヘッドホルダ３３におけるフック支持部３３ｍｆの下側支持面３３ｍｆＳ１と当接したとき、支持突起３５ｔは支持孔３３ｓａの第１底面３３ｓａＳ１に到達していない。このためＬＥＤヘッド１６は、係止部３５ｆｃが軸となり、支持突起３５ｔ側がスイングする構成となっている。
【０１２５】
また、仮にフック３５ｆが形成されていない場合であっても、支持突起３５ｔの形状上、傾き角が９０［°］までＬＥＤヘッド１６は傾くことは基本的にはないが、上述したようにＬＥＤヘッド１６に作業者が接触した場合等の場合は、ＬＥＤヘッド１６が９０［°］以上傾くことがある。
【０１２６】
これに対し、本実施の形態によるＬＥＤヘッドユニット１４においては、例えばＬＥＤヘッド１６が右側面視で時計回りに傾き角Θ２（図２３）まで傾いた場合、アタッチメント３５の支持突起３５ｔがＬＥＤヘッドホルダ３３の支持孔３３ｓａの前内壁面３３ｓａＳ３に、アタッチメント３５の係止部３５ｆｃがＬＥＤヘッドホルダ３３のフック支持部３３ｍｆの後側支持面３３ｍｆＳ３に、それぞれ当接することにより、それ以上の回動が規制される。このようにＬＥＤヘッド１６の搖動可能域は、図２２に示す傾き角Θ２までとなっており、それ以上ＬＥＤヘッド１６が傾かないようになっている。
【０１２７】
この傾き角Θ２は、フック３５ｆの係止部３５ｆｃの係止部面３５ｆｃＳから支持突起３５ｔの支持突起下端面３５ｔＳまでのＺ方向の距離である係止部面支持突起間距離Ｌ２１ｚと、支持突起３５ｔの前端面から支持孔３３ｓａの前内壁面３３ｓａＳ３までのＹ方向の距離である支持突起前内壁面間距離Ｌ２１ｙにより決定する。
【０１２８】
ＬＥＤヘッドユニット１４がプリンタカバー９から垂下される構造上、ＬＥＤヘッドユニット１４はＹ方向に薄くＺ方向に長い形状となるため、一般的な画像形成装置の形状であれば、Θ２＜１０［°］となる。このため、カラープリンタ１は、ＬＥＤヘッド１６の傾き角を大幅に規制でき、ＬＥＤヘッド１６が大きく倒れてしまうことを防ぐことができる。
【０１２９】
［１６．動作及び効果等］
従来のカラープリンタにおいて、仮に、フック３５ｆ及びフック支持部３３ｍｆが形成されていない場合は、カバーオープン状態においてスプリング３４の付勢力が支持突起３５ｔからホルダ支持部３３ｓの支持孔３３ｓａに加わっているとき、スプリング３４の全ての荷重を、支持突起３５ｔと支持孔３３ｓａとの当接箇所で受けていた。
【０１３０】
このため支持突起３５ｔはスプリング３４の付勢力によって支持孔３３ｓａに強く押し付けられることとなり、支持孔３３ｓａのＹ方向の中央部から支持突起３５ｔが外力等により位置ずれした場合、支持突起３５ｔが支持孔３３ｓａのＹ方向の中央部に復帰することが困難となり、Ｙ方向の一方側に寄ったままになってしまっていた。この場合、位置決め突起３２ｔを位置決め孔３７ａに嵌合することができなくなってしまい、ＬＥＤヘッド１６が発生させた光の焦点を感光体ドラム２７の表面に正確に合わせることができなくなってしまう。
【０１３１】
これに対し本実施の形態によるカラープリンタ１は、アタッチメント３５において、スプリング３４よりもＸ方向の内側に隣接する箇所からＬＥＤヘッドホルダ３３へ向かって突出するフック３５ｆを形成すると共に、ＬＥＤヘッドホルダ３３において、フック３５ｆの係止部３５ｆｃが引っ掛かる下側支持面３３ｍｆＳ１を形成するようにした。このためカラープリンタ１は、カバーオープン状態において、支持突起３５ｔが支持孔３３ｓａに引っ掛かることに加えて、フック３５ｆの係止部３５ｆｃを下側支持面３３ｍｆＳ１に引っ掛けることができる。
【０１３２】
これによりカラープリンタ１は、スプリング３４の荷重が加わる先を、支持突起３５ｔと支持孔３３ｓａとの当接箇所と、フック３５ｆの係止部３５ｆｃと下側支持面３３ｍｆＳ１との当接箇所とに分散することができる。かくしてカラープリンタ１は、支持突起３５ｔと支持孔３３ｓａとの当接箇所にかかるスプリング３４の荷重を減らす、すなわち支持突起支持孔間摩擦力Ｒｆ１を小さくすることができるため、支持孔３３ｓａのＹ方向の中央部から支持突起３５ｔが外力等により位置ずれした場合に、支持突起３５ｔを支持孔３３ｓａ内で移動しやすくでき、支持孔３３ｓａのＹ方向の中央部に容易に復帰させることができる。
【０１３３】
またカラープリンタ１は、反力付勢力間距離Ｘ１と反力間距離Ｘ２との関係をＸ２／２＜Ｘ１とする、すなわちスプリング３４をＸ方向に関し支持突起３５ｔとフック３５ｆとの間における、フック３５ｆ寄りに配置することにより、係止部フック支持部間摩擦力Ｒｆ２を支持突起支持孔間摩擦力Ｒｆ１よりも大きくした。このためカラープリンタ１は、ＬＥＤヘッド１６をＹ方向に摺動させた場合、摩擦力が大きい係止部３５ｆｃは静止したまま、摩擦力の小さい支持突起３５ｔを先行して動き出させ、係止部３５ｆｃの係止部面３５ｆｃＳとフック支持部３３ｍｆの下側支持面３３ｍｆＳ１との当接箇所を軸として、支持突起３５ｔと共にＬＥＤヘッド１６を揺動させることができる。
【０１３４】
またカラープリンタ１は、ＬＥＤヘッドホルダ３３における支持孔３３ｓａにおいて、第１底面３３ｓａＳ１の−Ｙ方向側に、該第１底面３３ｓａＳ１に対し傾斜する第２底面３３ｓａＳ２を形成するようにした。このためカラープリンタ１は、支持孔３３ｓａのＹ方向の中央部から支持突起３５ｔが外力等により位置ずれした場合に、スプリング３４によって支持孔３３ｓａの第２底面３３ｓａＳ２に支持突起３５ｔを押し付け、該第２底面３３ｓａＳ２の傾斜により第１底面３３ｓａＳ１に支持突起３５ｔを戻すことができる。
【０１３５】
これにより、ＬＥＤヘッド１６がＹ方向に摺動した場合でも、係止部３５ｆｃを軸にしてＬＥＤヘッド１６が搖動し、スプリング３４により第１底面３３ｓａＳ１に向かって付勢された支持突起３５ｔが第２底面３３ｓａＳ２に当接して第１底面３３ｓａＳ１へ案内され、位置決め孔３７ａが領域ＡＲ１内に収まることができる。このようにカラープリンタ１は、ＬＥＤヘッド１６がＹ方向に摺動した場合でも、第２底面３３ｓａＳ２に支持突起３５ｔを当接させつつ係止部３５ｆｃを軸にして支持突起３５ｔを第１底面３３ｓａＳ１へ案内し、支持突起３５ｔを第１底面３３ｓａＳ１へ戻すことができる。
【０１３６】
このようにカラープリンタ１は、フック支持部３３ｍｆにフック３５ｆを引っ掛けることにより、支持突起３５ｔと支持孔３３ｓａとの摩擦力を低減させ支持突起３５ｔを支持孔３３ｓａ内部で移動しやすくさせると共に、係止部３５ｆｃを軸として支持突起３５ｔと共にＬＥＤヘッド１６を回動させるようにし、第１底面３３ｓａＳ１に対し傾斜する第２底面３３ｓａＳ２を設けることにより、支持突起３５ｔを支持突起３５ｔとの摩擦力が低減された第２底面３３ｓａＳ２により第１底面３３ｓａＳ１へ案内するようにした。これによりカラープリンタ１は、感光体ドラム２７に対する適切な位置へＬＥＤヘッド１６の位置を調整でき、感光体ドラム２７に対するＬＥＤヘッド１６の位置決めを容易に行うことができ、焦点距離のずれによる印刷品質の低下を防ぐことができる。
【０１３７】
さらにカラープリンタ１は、支持孔３３ｓａにおける支持突起３５ｔよりも前側に前内壁面３３ｓａＳ３を、後側に後内壁面３３ｓａＳ４をそれぞれ形成すると共に、フック支持部３３ｍｆにおける、フック３５ｆの係止部３５ｆｃよりも前側に前側支持面３３ｍｆＳ２を、後側に後側支持面３３ｍｆＳ３をそれぞれ形成し、フック３５ｆを支持突起３５ｔよりも＋Ｚ方向側まで突出させるようにした。
【０１３８】
このためカラープリンタ１は、ＬＥＤヘッド１６が傾いた場合に、アタッチメント３５の支持突起３５ｔをＬＥＤヘッドホルダ３３の支持孔３３ｓａにおけるＹ方向のうちの一方向である前内壁面３３ｓａＳ３又は後内壁面３３ｓａＳ４に、アタッチメント３５の係止部３５ｆｃをＬＥＤヘッドホルダ３３のフック支持部３３ｍｆにおけるＹ方向のうちの他方向である後側支持面３３ｍｆＳ３又は前側支持面３３ｍｆＳ２にそれぞれ当接させることにより、それ以上ＬＥＤヘッド１６が傾くことを防止できる。
【０１３９】
これによりカラープリンタ１は、ＬＥＤヘッド１６の振れ量（すなわち回動範囲）を規制できるため、支持突起３５ｔを支持孔３３ｓａのＹ方向の中央部に戻しやすくできる。かくしてカラープリンタ１は、ロッドレンズアレイ３９の露光面３９ｅがトナーカートリッジ１８等に接触してしまったり、位置決め突起３２ｔが位置決め孔３７ａに嵌合できなくなってしまったりすることを防止できる。
【０１４０】
さらにカラープリンタ１は、スプリング３４の位置をＸ方向の内側に寄せてフック３５ｆに近づける程、係止部フック支持部間摩擦力Ｒｆ２を大きくし支持突起支持孔間摩擦力Ｒｆ１を小さくできる一方、スプリング３４の位置をＸ方向の外側に寄せて支持突起３５ｔに近づける程、支持突起支持孔間摩擦力Ｒｆ１を大きくし係止部フック支持部間摩擦力Ｒｆ２を小さくできる。
【０１４１】
すなわちカラープリンタ１は、Ｘ方向に関し支持突起３５ｔに対するスプリング３４とフック３５ｆとの位置を調整することにより、支持突起支持孔間摩擦力Ｒｆ１と係止部フック支持部間摩擦力Ｒｆ２とのバランスを調整でき、支持突起３５ｔと支持孔３３ｓａとの当接箇所と、係止部３５ｆｃと下側支持面３３ｍｆＳ１との当接箇所とにかかるスプリング３４の荷重のバランスを調整できる。
【０１４２】
以上の構成においてカラープリンタ１は、光軸方向に沿う光軸を有する複数のレンズが配置されたレンズアレイとしてのロッドレンズアレイ３９を有する露光ヘッドユニット１７と、露光ヘッドユニット１７を保持するＬＥＤヘッドホルダ３３と、露光ヘッドユニット１７を光軸方向に関しＬＥＤヘッドホルダ３３から離隔する方向へ付勢するスプリング３４とを設け、露光ヘッドユニット１７は、露光ヘッドユニット１７の長手方向としてのＸ方向における両端側に設けられた支持突起３５ｔと、光軸方向に関しＬＥＤヘッドホルダ３３に向かって支持突起３５ｔよりも突出し、ＬＥＤヘッドホルダ３３と係合するフック３５ｆとを有し、ＬＥＤヘッドホルダ３３は、ＬＥＤヘッドホルダ３３の長手方向における両端側に設けられ、支持突起３５ｔが挿入される支持孔３３ｓａと、フック３５ｆを保持するフック支持部３３ｍｆとを有するようにした。
【０１４３】
これによりカラープリンタ１は、スプリング３４からの荷重を、フック３５ｆとフック支持部３３ｍｆとの当接箇所と、支持突起３５ｔと支持孔３３ｓａとの当接箇所とに分散することにより、支持突起３５ｔと支持孔３３ｓａと間の摩擦力を低減でき、支持孔３３ｓａの内部において支持突起３５ｔを移動させやすくでき、簡易な構成でＬＥＤヘッド１６の位置ずれを修正し、感光体ドラム２７に対しＬＥＤヘッド１６を精度良く位置決めできる。
【０１４４】
［１７．他の実施の形態］
なお上述した実施の形態においては、反力付勢力間距離Ｘ１と反力間距離Ｘ２との関係をＸ２／２＜Ｘ１とする場合について述べた。本発明はこれに限らず、反力付勢力間距離Ｘ１と反力間距離Ｘ２との関係をＸ２／２≧Ｘ１としても良い。その場合、Ｘ２／２＜Ｘ１の場合よりも、支持突起３５ｔから支持孔３３ｓａにかかる荷重をフック３５ｆとフック支持部３３ｍｆとの接点へ分散できないものの、フック３５ｆ及びフック支持部３３ｍｆが設けられていない場合と比較して、支持突起３５ｔから支持孔３３ｓａにかかる荷重を、フック３５ｆとフック支持部３３ｍｆとの接点へ分散できる。
【０１４５】
また上述した実施の形態においては、反力付勢力間距離Ｘ１と反力間距離Ｘ２との関係をＸ２／２＜Ｘ１とし、係止部フック支持部間摩擦力Ｒｆ２を支持突起支持孔間摩擦力Ｒｆ１よりも大きくすることにより、係止部３５ｆｃの係止部面３５ｆｃＳとフック支持部３３ｍｆの下側支持面３３ｍｆＳ１との当接箇所を軸として、支持突起３５ｔと共にＬＥＤヘッド１６を揺動させる場合について述べた。本発明はこれに限らず、支持突起支持孔間摩擦力Ｒｆ１と係止部フック支持部間摩擦力Ｒｆ２とを適宜調整することにより、係止部３５ｆｃと支持突起３５ｔとが共にＹ方向に移動するようにしたり、支持突起３５ｔと支持孔３３ｓａとの当接箇所を軸として、フック３５ｆと共にＬＥＤヘッド１６が揺動したりするようにしても良い。
【０１４６】
さらに上述した実施の形態においては、反力付勢力間距離Ｘ１と反力間距離Ｘ２との関係をＸ２／２＜Ｘ１とすることにより、係止部フック支持部間摩擦力Ｒｆ２を支持突起支持孔間摩擦力Ｒｆ１よりも大きくする場合について述べた。本発明はこれに限らず、係止部３５ｆｃや、フック支持部３３ｍｆや、支持突起３５ｔや、支持孔３３ｓａそれぞれの素材や表面加工等を調整し、摩擦係数を変更することにより、係止部フック支持部間摩擦力Ｒｆ２を支持突起支持孔間摩擦力Ｒｆ１よりも大きくしても良い。
【０１４７】
さらに上述した実施の形態においては、Ｘ方向に関しスプリング３４を挟むように支持突起３５ｔとフック３５ｆとを配置する、すなわちフック３５ｆをスプリング３４よりもＸ方向の内側に配置する場合について述べた。本発明はこれに限らず、Ｘ方向に関しスプリング３４とフック３５ｆとの配置を入れ替え、フック３５ｆを挟むように支持突起３５ｔとスプリング３４とを配置する、すなわちフック３５ｆをスプリング３４よりもＸ方向の外側に配置しても良い。その場合、スプリング３４は、支持突起３５ｔよりもフック３５ｆに近接する位置に必ず配されることとなる。
【０１４８】
さらに上述した実施の形態においては、支持孔３３ｓａの第１底面３３ｓａＳ１よりも−Ｙ方向側に、傾斜面である第２底面３３ｓａＳ２を形成する場合について述べた。本発明はこれに限らず、第１底面３３ｓａＳ１よりも＋Ｙ方向側に傾斜面を形成しても良く、第１底面３３ｓａＳ１よりも−Ｙ方向側と＋Ｙ方向側との両方に傾斜面を形成しても良い。
【０１４９】
さらに、フック支持部３３ｍｆの前側支持面３３ｍｆＳ２と後側支持面３３ｍｆＳ３とのＹ方向の間隔や、フック３５ｆの係止部３５ｆｃのＹ方向の幅を調整することにより、係止部３５ｆｃがＹ方向に移動可能な範囲を調整しても良い。
【０１５０】
さらに上述した実施の形態においては、シャフト４４のＩカット面４４Ｓｉを輪留め座面３５ａｓに当接させることにより、アタッチメントヘッド取付状態においてシャフト４４の回転を防止する場合について述べた。本発明はこれに限らず、アタッチメント３５におけるシャフト係合部３５ａにおける種々の回転止め機構にシャフト４４を当接させたり、シャフトの回転を防止する固定機能を持ったキャップを用いたりすることにより、シャフト４４の回転を防止しても良い。
【０１５１】
さらに上述した実施の形態においては、シャフト４４によりアタッチメント３５とＬＥＤヘッドフレーム３７とを連結する場合について述べた。本発明はこれに限らず、他の種々の部材によりアタッチメント３５とＬＥＤヘッドフレーム３７とを連結しても良い。
【０１５２】
さらに上述した実施の形態においては、アタッチメント３５によりＬＥＤヘッドホルダ３３とＬＥＤヘッド１６とを連結する場合について述べた。本発明はこれに限らず、シャフトを用いてＬＥＤヘッドホルダ３３とＬＥＤヘッド１６とを連結したり、ＬＥＤヘッドホルダ３３とＬＥＤヘッド１６とを直接連結したりしても良い。
【０１５３】
さらに上述した実施の形態においては、圧縮コイルばねであるスプリング３４によりアタッチメント３５をＬＥＤヘッド１６へ向けて付勢する場合について述べた。本発明はこれに限らず、例えば板ばね等、他の種々の付勢部材によりアタッチメント３５をＬＥＤヘッド１６へ向けて付勢しても良い。
【０１５４】
さらに画像形成ユニット１５は、紙詰まりが発生した際に用紙ジャムを検知し、ジャムを解除させるために自動で上方へ移動しても良い。
【０１５５】
さらに上述した実施の形態においては、タンデム方式のカラープリンタ１において、前後方向に沿って直列に配置された各色の画像形成ユニット１５とそれぞれ対応する各色のＬＥＤヘッドユニット１４に本発明を適用する場合について述べた。本発明はこれに限らず、例えば４サイクル方式等、他の種々の方式のカラープリンタに搭載されるＬＥＤヘッドユニットに適用しても良い。
【０１５６】
さらに上述した実施の形態においては、カラー印刷を行うカラープリンタ１のプリンタ筐体２に対し、イエロー、マゼンタ、シアン及びブラックの各色に対応した４個のＬＥＤヘッド１６を取り付ける場合について述べた。本発明はこれに限らず、例えばカラープリンタにおいて使用されるトナーの色数に応じて、プリンタ筐体２に対し３個以下や５個以上のＬＥＤヘッド１６を取り付けるようにしても良く、またモノクロ印刷を行うモノクロプリンタにおいて１個のＬＥＤヘッド１６を取り付けるようにしても良い。
【０１５７】
さらに上述した実施の形態においては、カラープリンタ１に本発明を適用したが、これに限らず、カラープリンタ１と同様にＬＥＤヘッド１６を有する装置であれば、ファクシミリ、ＭＦＰ（MultiFunction Printer：複合機）、複写機等の装置にも本発明を適用しても良い。
【０１５８】
さらに上述した実施の形態においては、露光ヘッドユニットとしての露光ヘッドユニット１７と、ホルダとしてのＬＥＤヘッドホルダ３３と、付勢部材としてのスプリング３４とによって、露光装置としてのＬＥＤヘッドユニット１４を構成し、露光ヘッドユニットは、突部としての支持突起３５ｔと、係合部としてのフック３５ｆとを有し、ホルダは、孔部としての支持孔３３ｓａと、保持部としてのフック支持部３３ｍｆとを有する場合について述べた。本発明はこれに限らず、その他種々の構成でなる露光ヘッドユニットと、ホルダと、付勢部材とによって、露光装置を構成し、露光ヘッドユニットは、その他種々の構成でなる係合部と、突部とを有し、ホルダは、その他種々の構成でなる保持部と、孔部とを有しても良い。
【産業上の利用可能性】
【０１５９】
本発明は、例えば電子写真式のプリンタに搭載するＬＥＤヘッドで利用できる。
【符号の説明】
【０１６０】
１……カラープリンタ、２……プリンタ筐体、２Ｔ……排出トレイ、３……制御部、４……用紙収容カセット、５……給紙部、６……用紙色測色部、７……ホッピングローラ、８……レジストローラ、９……プリンタカバー、９Ａ、９Ｂ……軸部材、１０……転写ベルトユニット、１１……ローラ、１２……転写ベルト、１３……転写ローラ、１４……ＬＥＤヘッドユニット、１５……画像形成ユニット、１６……ＬＥＤヘッド、１７……露光ヘッドユニット、１８……トナーカートリッジ、２０……定着ユニット、２１……加熱ローラ、２２……加圧ローラ、２４……排紙部、２５……フレーム、２６……感光体ドラムユニット、２７……感光体ドラム、２７Ｓ……周側面、２７ｓ……スペーサ、２８……帯電ローラ、２９……現像ローラ、３０……供給ローラ、３１……現像ブレード、３２……ドラムフレーム、３２ｔ……位置決め突起、３２ｔｉ……傾斜面、３３……ＬＥＤヘッドホルダ、３３ｍ……ホルダ本体部、３３ｍｐ……ポスト、３３ｍｆ……フック支持部、３３ｍｆＳ１……下側支持面、３３ｍｆＳ２……前側支持面、３３ｍｆＳ３……後側支持面、３３ｍｇ……フック取付溝、３３ｓ……ホルダ支持部、３３ｓａ……支持孔、３３ｓａＳ１……第１底面、３３ｓａＳ２……第２底面、３３ｓａＳ３……前内壁面、３３ｓａＳ４……後内壁面、３３ｓｇ……支持突起取付溝、３３ｈ……ホルダ垂下部、３３ｈａ……垂下部軸、３４……スプリング、３４Ｌ……大径端部、３４Ｓ……小径端部、３５……アタッチメント、３５ｂ……底板、３５Ｓ１……ヘッド対向面、３５Ｓ２……ホルダ対向面、３５ｗ……壁部、３５ｔ……支持突起、３５ｔＳ……支持突起下端面、３５ａ……シャフト係合部、３５ａｇ……貫通溝、３５ａｇｘ……貫通溝軸、３５ａｓ……輪留め座面、３５ｒ１、３５ｒ２……当接リブ、３５ｒ１Ｓ、３５ｒ２Ｓ……リブホルダ当接面、３５ｓｓ……スプリング座、３５ｆ……フック、３５ｆｐ……突出部、３５ｆｃ……係止部、３５ｆｃＳ……係止部面、３７……ＬＥＤヘッドフレーム、３７Ｓ……アタッチメント対向面、３７Ｈ……取付孔、３７ｅ……シャフト係合部、３７ｅｂ……シャフト係合部底部、３７ｅｐ……引掛部係合突起、３７ｅｗｘ……引掛部収納Ｘ方向側壁、３７ｅｗｙ……引掛部収納Ｙ方向側壁、３７ｅｓ……引掛部収納空間、３７ｅａ……ヘッド側引掛部通過口、３７ａ……位置決め孔、３７ｐ……カム、３８……基板、３８Ｃｎ……コネクタ、３８Ｃｂ……ケーブル、３９……ロッドレンズアレイ、３９ｅ……露光面、４０……ＬＥＤアレイ、４１……シリコン樹脂、４２……絶縁シート、４４……シャフト、４４Ｓ……棒状部、４４Ｓｉ……Ｉカット面、４４Ｓｇ……輪留め溝、４４Ｄ……ヘッド側引掛部、４４Ｄｃ……ヘッド側引掛部中心部、４４Ｄｐ……ヘッド側引掛部突起、４４Ｕ……アタッチメント側引掛部、４４ｘ……シャフト軸、６２……位置決め部材、６３……輪留め、Ｌ１……ヘッド側引掛部幅、Ｌ３……ヘッド側引掛部直径、Ｌ６……シャフト係合部Ｙ方向内寸、Ｌ７……引掛部収納高さ、Ｌ８……シャフト係合部係合突起厚さ、Ｌ９……シャフト係合部係合突起内寸、Ｌ１０……シャフト係合部Ｘ方向内寸、Ｆ……下向き付勢力、Ｒ１、Ｒ２……上向き反力、Ｘ１……反力付勢力間距離、Ｘ２……反力間距離、Ｒｆ１……支持突起支持孔間摩擦力、Ｒｆ２……係止部フック支持部間摩擦力、Ｌ２１ｚ……係止部面支持突起間距離、Ｌ２１ｙ……支持突起前内壁面間距離、Ｌ３１……支持突起第１底面間隔、Ｌ３２……係止部面下側支持面間隔、Ｌｓｐ１……スプリング常用長、Ｌｓｐ２……スプリング密着長、Ｄ１１……大径端部内径、Ｄ１２……大径端部外径、Ｄ２１……小径端部内径、Ｄ２２……小径端部外径、Ｄ３……輪留め外径、Ｄ４……ポスト最大外周径、Ｚ１……係止部面支持面間距離、Ｚ２……係止部面取付溝間距離、Ｚ４……ホルダ対向面シャフト上端間距離、Ｚ５……座巻高さ、Θ１、Θ２……傾き角。
【図１】
2020185715.tif 000003
【図２】
2020185715.tif 000004
【図３】
2020185715.tif 000005
【図４】
2020185715.tif 000006
【図５】
2020185715.tif 000007
【図６】
2020185715.tif 000008
【図７】
2020185715.tif 000009
【図８】
2020185715.tif 000010
【図９】
2020185715.tif 000011
【図１０】
2020185715.tif 000012
【図１１】
2020185715.tif 000013
【図１２】
2020185715.tif 000014
【図１３】
2020185715.tif 000015
【図１４】
2020185715.tif 000016
【図１５】
2020185715.tif 000017
【図１６】
2020185715.tif 000018
【図１７】
2020185715.tif 000019
【図１８】
2020185715.tif 000020
【図１９】
2020185715.tif 000021
【図２０】
2020185715.tif 000022
【図２１】
2020185715.tif 000023
【図２２】
2020185715.tif 000024
【図２３】
2020185715.tif 000025